(57)【要約】      （修正有）【課題】無線受信機のエネルギー効率を向上する方法を提供する。【解決手段】送信デバイスは、更なるフレームが受信デバイスへ送られないことを示す場合、受信デバイスへ、送信デバイスが、次の分散予約プロトコル（ＤＲＰ）の予約ブロックの開始までの時間、または次のスーパーフレームの開始までの時間より短い時間の間送信しないことを約束する時間の長さを通知する時間基準フィールドを送る。所定の動作をしている場合、送信デバイスは、この時間基準によってモアフレームビットが０に設定された後の約束の期間の長さを制御する。時間基準は媒体アクセス制御ヘッダに付加されるか、ベンダ固有のメッセージに含まれる。【選択図】図４
2015046908.tif 000002
【特許請求の範囲】
【請求項１】
第１のデバイスから第２のデバイスへ送信するためのペイロードデータが入手可能でないことを決定すること、
前記決定のステップに応じて、前記第１のデバイスから前記第２のデバイスへインジケータの第１の値を送信すること、
前記第１のデバイスから前記第２のデバイスへ第１の時間基準値を送信することであって、前記インジケータの前記第１の値は、前記第１の時間基準値によって定義される長さを有する第１の期間中に前記第１のデバイスが前記第２のデバイスへ送信を行わないことを示すこと、を含む
無線送信信号を送るための方法。
【請求項２】
前記ペイロードデータが入手可能であることに応じて、前記インジケータの前記第１の値を送信する前記ステップ及び前記第１の時間基準値を送信する前記ステップの前に実行されることであり、前記第１のデバイスから前記第２のデバイスへ前記ペイロードデータを送信することと、
前記ペイロードデータが入手可能であることに応じて、前記インジケータの前記第１の値を送信する前記ステップ及び前記第１の時間基準値を送信する前記ステップとの前に実行されることであり、前記第１のデバイスから前記第２のデバイスへ前記インジケータの第２の値を送信することとをさらに含み、前記インジケータの前記第２の値は前記第１のデバイスが前記第２のデバイスへ前記ペイロードデータを送信することを示すこと、を含む
請求項１に記載の方法。
【請求項３】
前記第１のデバイスが、ＥＣＭＡ−３６８規格に従って前記第２のデバイスへ送信を行うように構成され、前記インジケータの前記第１の値を送信する前記ステップは０に設定されたモアフレームビットを送信するステップを含んでおり、前記インジケータの前記第２の値を送信する前記ステップは１に設定された前記モアフレームビットを送信することを含んでおり、
前記ペイロードデータを送る前記ステップが、スーパーフレーム内で実行され、前記第１の時間基準値を送信する前記ステップは前記スーパーフレーム内で実行される、
請求項２に記載の方法。
【請求項４】
前記ペイロードデータを送信する前記ステップが、分散予約プロトコル（ＤＲＰ）の予約を用いて実行される、請求項３に記載の方法。
【請求項５】
前記ペイロードデータを送信する前記ステップが、無予約優先競合アクセス（ＰＣＡ）を用いて実行される、請求項３に記載の方法。
【請求項６】
前記ペイロードデータを送信する前記ステップが、優先競合アクセス分散予約プロトコル（ＰＣＡ  ＤＲＰ）を用いて実行される、請求項３に記載の方法。
【請求項７】
前記ペイロードデータを送信する前記ステップが、ソフト分散予約プロトコル（ＤＲＰ）の間に優先競合アクセス（ＰＣＡ）送信を用いて実行される、請求項３に記載の方法。
【請求項８】
前記ペイロードデータを送信する前記ステップが、前記スーパーフレームの第１の予約ブロック内で分散予約プロトコル（ＤＲＰ）を用いて実行され、前記第１の期間は、前記スーパーフレームの第２の予約ブロックの開始後に終了し、前記第２の予約ブロックは前記第１の予約ブロックの後に始まる、請求項３に記載の方法。
【請求項９】
前記ペイロードデータを送信する前記ステップが、前記スーパーフレームの予約ブロック内で分散予約プロトコル（ＤＲＰ）を用いて実行され、前記第１の期間は、前記予約ブロックの終了前に終了する、請求項３に記載の方法。
【請求項１０】
前記第１の時間基準値を送信する前記ステップが、ゼロレングスデータフレームの拡張ＭＡＣヘッダ内で前記第１の時間基準値を送信することを含む、請求項３に記載の方法。
【請求項１１】
前記第１の時間基準値を送信する前記ステップが、コマンドフレームの拡張ＭＡＣヘッダ内で前記第１の時間基準値を送信することを含む、請求項３に記載の方法。
【請求項１２】
前記第１の時間基準値を送信する前記ステップが、ベンダ固有のコマンドフレームペイロード内で前記第１の時間基準値を送信することを含む、請求項３に記載の方法。
【請求項１３】
前記第１および前記第２のデバイスを含むネットワーク内のトラヒックパターンに少なくとも一部基づいて複数の時間基準値から前記第１の時間基準値を選択すること、
をさらに含む、請求項３に記載の方法。
【請求項１４】
前記ペイロードデータを生成するアプリケーションの、前記ペイロードのレイテンシおよびスループットに対する感度に少なくとも一部基づいて複数の時間基準値から前記第１の時間基準値を選択すること、
をさらに含む、請求項３に記載の方法。
【請求項１５】
複数の時間基準値を前記第１のデバイスに格納することと、
前記複数の時間基準値から前記第１の時間基準値を選択することと、
前記ペイロードが前記第１の期間が終了すると入手可能でなくなることに応じて、（１）前記第１のデバイスから前記第２のデバイスへ前記インジケータの前記第１の値を送信すること、（２）前記複数の時間基準値から前記第１の時間基準値と異なる第２の時間基準値を選択すること、および（３）前記第１のデバイスから前記第２のデバイスへ前記第２の時間基準値を送信することとをさらに含み、
ここで前記ペイロードが前記第１の期間が終了すると入手可能でなくなることに応じて、前記第１の値を送信するステップは、前記第２の時間基準値によって定義された長さを有する第２の期間中に前記第１のデバイスは前記第２のデバイスへ前記ペイロードデータを送信しないことを示している、
請求項３に記載の方法。
【請求項１６】
メモリーと、
受信機と、
送信機と、
前記受信機、前記送信機、および前記メモリーに接続された制御器を含み、
前記制御器が、
前記無線装置から無線デバイスへ送信するためのペイロードデータが入手可能でないことを決定するように、かつ
前記ペイロードデータが入手可能でない場合に、前記無線装置から前記無線デバイスへインジケータの第１の値を送信するように、かつ
前記無線装置から前記無線デバイスへ第１の時間基準値を送信するように構成され、前記インジケータの前記第１の値が、前記無線装置は前記第１の時間基準値によって定義される長さを有する第１の期間中に前記無線デバイスへ送信しないことを示す、
無線装置。
【請求項１７】
前記制御器が、
前記ペイロードデータが入手可能である場合、前記インジケータの前記第１の値および前記第１の時間基準値を送信する前に前記無線デバイスへ前記ペイロードデータを送信するように、かつ
前記ペイロードデータが入手可能である場合、前記インジケータの前記第１の値および前記第１の時間基準値を送信する前に、前記無線装置から前記無線デバイスへ前記インジケータの第２の値を送信するように構成され、前記インジケータの前記第２の値は、前記無線装置が前記無線デバイスへ前記ペイロードデータを送信することを示す、
請求項１６に記載の無線装置。
【請求項１８】
前記無線装置が、ＥＣＭＡ−３６８規格に従って前記無線デバイスへ送信するように構成され、前記インジケータがモアフレームビットであり、前記インジケータの前記第１の値が０であり、前記インジケータの前記第２の値が１であり、かつ
前記制御器が、スーパーフレーム内で前記ペイロードデータおよび前記第１の時間基準値を送信するように構成された、
請求項１７に記載の無線装置。
【請求項１９】
前記制御器が、分散予約プロトコル（ＤＲＰ）の予約を用いて前記ペイロードデータを送信するように構成された、請求項１６に記載の無線装置。
【請求項２０】
前記制御器が、無予約優先競合アクセス（ＰＣＡ）を用いて前記ペイロードデータを送信するように構成された、請求項１６に記載の無線装置。
【請求項２１】
前記制御器が、優先競合アクセス分散予約プロトコル（ＰＣＡ  ＤＲＰ）を用いて前記ペイロードデータを送信するように構成された、請求項１６に記載の無線装置。
【請求項２２】
前記制御器が、ソフト分散予約プロトコル（ＤＲＰ）の間に優先競合アクセス（ＰＣＡ）送信を用いて前記ペイロードデータを送信するように構成された、請求項１６に記載の無線装置。
【請求項２３】
前記制御器が、ゼロレングスデータフレームの拡張ＭＡＣヘッダ内で前記第１の時間基準値を送信するように構成された、請求項１６に記載の無線装置。
【請求項２４】
前記制御器が、コマンドフレームの拡張ＭＡＣヘッダ内で前記第１の時間基準値を送信するように構成された、請求項１６に記載の無線装置。
【請求項２５】
前記制御器が、ベンダ固有のコマンドフレームペイロード内で前記第１の時間基準値を送信するように構成された、請求項１６に記載の無線装置。
【請求項２６】
前記制御器が、前記無線装置および前記無線デバイスを含むネットワーク内のトラヒックパターンに少なくとも一部基づいて複数の時間基準値から前記第１の時間基準値を選択するようにさらに構成された、請求項１６に記載の無線装置。
【請求項２７】
前記制御器が、前記無線デバイスの電力節約および前記無線デバイスの現在の電池充電レベルに対する感度に少なくとも一部基づいて複数の時間基準値から前記第１の時間基準値を選択するようにさらに構成された、請求項１６に記載の無線装置。
【請求項２８】
前記制御器が、
複数の時間基準値から前記第１の時間基準値を選択するように構成され、かつ
前記ペイロードデータが前記第１の期間が終了すると入手可能でなくなることに応じて、（１）前記無線装置から前記無線デバイスへ前記インジケータの前記第１の値を送信し、（２）前記複数の時間基準値から前記第１の時間基準値と異なる第２の時間基準値を選択し、および（３）前記無線装置から前記無線デバイスへ前記第２の時間基準値を送信するようにさらに構成され、前記ペイロードデータが前記第１の期間が終了すると入手可能でなくなることに応じて、前記第１の値の送信が前記第２の時間基準値によって定義された長さを有する第２の期間中に前記無線装置は前記無線デバイスへ前記ペイロードデータを送信しないことを示す、
請求項１６に記載の無線装置。
【請求項２９】
命令を含む機械可読媒体であって、前記命令が無線装置の少なくとも１つの制御器によって実行されると、前記命令が前記無線装置に、
前記無線装置から無線デバイスへ送信するためのペイロードデータが入手可能でないことを決定することと、
前記決定ステップに応じて、前記無線装置から前記第２のデバイスへインジケータの第１の値を送信することと、
前記無線装置から前記第２のデバイスへ第１の時間基準値を送信することとを含むステップを実行させ、前記インジケータの前記第１の値が、前記第１の時間基準値によって定義される長さを有する第１の期間中に前記無線装置は前記無線デバイスへ送信しないことを示す、
機械可読媒体。
【請求項３０】
前記ステップが、
前記ペイロードデータが入手可能であることに応じて、前記インジケータの前記第１の値を送信する前記ステップと前記第１の時間基準値を送信する前記ステップとの前に実行される、前記無線装置から前記無線デバイスへ前記ペイロードデータを送信することと、
前記ペイロードデータが入手可能であることに応じて、前記インジケータの前記第１の値を送信するステップと前記第１の時間基準値を送信する前記ステップとの前に実行される、前記無線装置から前記無線デバイスへ前記インジケータの第２の値を送信することとをさらに含み、前記インジケータの前記第２の値が前記第１のデバイスは前記第２のデバイスへ前記ペイロードデータを送信することを示す、
請求項２９に記載の機械可読媒体。
【請求項３１】
前記無線装置が、ＥＣＭＡ−３６８規格に従って前記無線デバイスへ送信するように構成され、前記インジケータの前記第１の値を送信する前記ステップは０に設定されたモアフレームビットを送信するステップを含んでおり、前記インジケータの前記第２の値を送信する前記ステップは１に設定された前記モアフレームビットを送信することを含んでおり、
前記ペイロードデータを送る前記ステップが、スーパーフレーム内で実行され、前記第１の時間基準値を送信する前記ステップは前記スーパーフレーム内で実行される、
請求項３０に記載の機械可読媒体。
【請求項３２】
前記ペイロードデータを送信する前記ステップが、分散予約プロトコル（ＤＲＰ）の予約を用いて実行される、請求項３１に記載の機械可読媒体。
【請求項３３】
前記ペイロードデータを送信する前記ステップが、無予約優先競合アクセス（ＰＣＡ）を用いて実行される、請求項３１に記載の機械可読媒体。
【請求項３４】
前記ペイロードデータを送信する前記ステップが、優先競合アクセス分散予約プロトコル（ＰＣＡ  ＤＲＰ）を用いて実行される、請求項３１に記載の機械可読媒体。
【請求項３５】
前記ペイロードデータを送信する前記ステップが、ソフト分散予約プロトコル（ＤＲＰ）の間に優先競合アクセス（ＰＣＡ）送信を用いて実行される、請求項３１に記載の機械可読媒体。
【請求項３６】
前記第１の時間基準値を送信する前記ステップが、ゼロレングスデータフレームの拡張ＭＡＣヘッダ内で前記第１の時間基準値を送信することを含む、請求項３１に記載の機械可読媒体。
【請求項３７】
前記第１の時間基準値を送信する前記ステップが、コマンドフレームの拡張ＭＡＣヘッダ内で前記第１の時間基準値を送信することを含む、請求項３１に記載の機械可読媒体。
【請求項３８】
前記第１の時間基準値を送信する前記ステップが、ベンダ固有のコマンドフレームペイロード内で前記第１の時間基準値を送信することを含む、請求項３１に記載の機械可読媒体。
【請求項３９】
前記ステップが、
前記無線装置および前記無線デバイスを含むネットワーク内のトラヒックパターンに少なくとも一部基づいて、複数の時間基準値から前記第１の時間基準値を選択すること
をさらに含む、請求項３１に記載の機械可読媒体。
【請求項４０】
前記ステップが、
前記無線デバイスの電力節約および前記無線デバイスの現在の電池充電レベルに対する感度に少なくとも一部基づいて、複数の時間基準値から前記第１の時間基準値を選択すること、
をさらに含む、請求項３１に記載の機械可読媒体。
【請求項４１】
前記ステップが、
前記無線装置に格納された複数の時間基準値から前記第１の時間基準値を選択することと、
前記ペイロードが前記第１の期間が終了すると入手可能でなくなることに応じて、（１）前記無線装置から前記無線デバイスへ前記インジケータの前記第１の値を送信すること、（２）前記複数の時間基準値から前記第１の時間基準値と異なる第２の時間基準値を選択すること、および（３）前記無線装置から前記無線デバイスへ前記第２の時間基準値を送信することとをさらに含み、
前記ペイロードが前記第１の期間が終了すると前記入手可能でなくなることに応じて、前記第１の値を送信するステップが、前記第２の時間基準値によって定義された長さを有する前記第２の期間中に前記無線装置は前記無線デバイスへ前記ペイロードデータを送信しないことを示す、
請求項３１に記載の機械可読媒体。
【請求項４２】
データを格納するための手段と、
無線媒体上でデータを受信するための手段と、
前記無線媒体上でデータを送信するための手段と、
受信のための前記手段および送信のための前記手段を制御するための制御器手段とを含み、前記制御器手段が、
前記無線装置から無線デバイスへ送信するためのペイロードデータが入手可能でないことを決定するように、かつ
前記ペイロードデータが入手可能でない場合に、前記無線装置から前記無線デバイスへインジケータの第１の値を送信するように、かつ
前記無線装置から前記無線デバイスへ第１の時間基準値を送信するように構成され、前記インジケータの前記第１の値が、前記第２のデバイスへ前記第１の時間基準によって定義される第１の期間中に前記無線装置は送信しないことを示す、
無線装置。
【請求項４３】
無線装置からインジケータを受信することと、
前記インジケータが第１の値を有することを決定することと、
前記インジケータが前記第１の値を有していることに応じて、前記無線装置から時間基準値を受信することと、
前記時間基準値に対応する時間の長さを選択することと、
前記長さの時間の間、前記無線デバイスの受信機の少なくとも一部をオフ状態にすることと、
前記長さの時間が終了すると、前記受信機の少なくとも前記一部をオン状態にすること、
を含む、無線デバイスを動作させる方法。
【請求項４４】
前記インジケータが、ＥＣＭＡ−３６８規格に適合するモアフレームビットであり、前記方法が前記無線装置からペイロードデータを受信することをさらに含む、請求項４３に記載の方法。
【請求項４５】
メモリーと、
受信機と、
送信機と、
前記受信機、前記送信機、および前記メモリーに接続された制御器とを含み、前記制御器が、
無線装置からインジケータを受信するように、かつ
前記インジケータが第１の値を有することを決定するように、かつ
前記インジケータが前記第１の値を有することに応じて、前記無線装置から時間基準値を受信するように、かつ
前記時間基準値に対応する長さの時間を選択するように、かつ
前記長さの時間の間、前記受信機の少なくとも一部をオフ状態にするように、かつ
前記長さの時間が終了すると前記受信機の前記少なくとも一部をオン状態にするように、
構成された、無線デバイス。
【請求項４６】
前記インジケータが、ＥＣＭＡ−３６８規格に適合するモアフレームビットであり、前記制御器が前記無線装置からペイロードデータを受信するようにさらに構成された、請求項４５に記載の無線デバイス。
【請求項４７】
命令を含む機械可読媒体であって、前記命令が無線デバイスの少なくとも１つの制御器によって実行されると、前記命令が前記無線デバイスに、
無線装置からインジケータを受信することと、
前記インジケータが第１の値を有することを決定することと、
前記インジケータが前記第１の値を有していることに応じて、前記無線装置から時間基準値を受信することと、
前記時間基準値に対応する長さの時間を選択することと、
前記長さの時間の間前記無線デバイスの受信機の少なくとも一部をオフ状態にすることと、
前記長さの時間が終了すると、前記受信機の前記少なくとも一部をオン状態にすること、
を含むステップを実行させる、機械可読媒体。
【請求項４８】
前記インジケータが、ＥＣＭＡ−３６８規格に適合するモアフレームビットであり、前記ステップが前記無線装置からペイロードデータを受信することをさらに含む、請求項４７に記載の機械可読媒体。
【請求項４９】
データを格納するための手段と、
無線媒体上でデータを受信するための手段と、
前記無線媒体上でデータを送信するための手段と、
受信のための前記手段および送信のための前記手段を制御するための制御器手段とを含み、前記制御器手段が、
無線装置からインジケータを受信するように、かつ
前記インジケータが第１の値を有するかまたは第２の値を有するかを決定するように、かつ
前記インジケータが前記第１の値を有することに応じて、前記無線装置から時間基準値を受信するように、かつ
前記時間基準値に対応する時間の長さを選択するように、かつ
前記長さの時間の間、受信のための前記手段の少なくとも一部をオフ状態にするように、かつ
前記長さの時間が終了すると受信のための前記手段の前記少なくとも一部をオン状態にするように、
構成された、無線デバイス。
【発明の詳細な説明】
【技術分野】
【０００１】
本発明は一般に通信に関する。より詳細には、複数の態様において、送信フレーム内のエネルギー節約インジケータに関する。
【背景技術】
【０００２】
無線通信デバイスの携帯性と機能は無線通信ネットワークの拡大に寄与しつつ、進歩し続けている。多くの普通の有線接続は、１つの無線デバイスが別の無線デバイスの接続領域内へ移動する場合に形成されるアドホック接続を含む無線接続に置き換えられつつある。無線パーソナルエリアネットワーク（無線ＰＡＮまたはＷＰＡＮ）が興味深い。これは一人の人の近くにある複数デバイスの間でしばしば使用されるネットワークである。ＰＡＮの到達範囲は通常、１０メートルのオーダであり、一方いくつかのネットワークはその３倍または１０倍もの距離で動作する。パーソナルエリアネットワークは個人用デバイス間の通信、または個人用デバイスとインターネットを含むより高いレベルのネットワークとの間の通信に用いられ得る。無線パーソナルエリアネットワークは超広帯域（ＵＷＢ）技術を用いて実施され得る。
【０００３】
ＥＣＭＡ−３６８はＵＷＢ通信のためにＥＣＭＡインターナショナルによって公表された高速物理（ＰＨＹ）層と媒体アクセス制御（ＭＡＣ）規格である。この規格はＷｉＭｅｄｉａ  ＵＷＢの共通無線プラットホーム（WiMedia UWB Common Radio Platform）に基づいている。これはwww.ecma-international.orgから入手可能である。現在、ＥＣＭＡ−３６８規格の最新版は２００７年１２月付けの第２版である。
【０００４】
携帯デバイスは通常バッテリー駆動である。したがって、そのようなデバイスではバッテリーの寿命を過度に短くすることなくバッテリーを小型にしておくために、エネルギー節約が重要である。
【０００５】
デバイスに送信信号が送られない期間中にも、そのデバイスの無線周波数受信機を動作中にしておく携帯デバイスにおいては、かなりのエネルギーが消費され得る。受信機は送信と送信の間は受信機をオフにし得るが、データの正確な到来時間をいつも予め知っている訳ではない。また、送信時間も送信側においてさえ予測可能でないことがあり得る。その理由は、送信機のＭＡＣ層が所与のアプリケーションからのデータフローを予測可能でないことがあり得るからである。受信機のエネルギー節約のための１つの手法は送信機が受信機に現在の送信期間中に追加の送信を予定するかどうかを通知することである。ある期間中、送信しないという信号を受信機へ送るための（ＥＣＭＡ−３６８規格で定義されるような）フラグの使用はエネルギー節約と、バースト性および非同期のデータ源を適応させる能力との間の競合を生み出す。送信機が追加の送信を行わないという信号を送ってからすぐに、アプリケーションから新しいデータの入手が可能になる場合、送信機においてデータレイテンシとバッファオーバランの確率が上昇し得る。
【０００６】
当業者において、無線受信機のエネルギー効率が向上する装置、方法、および製品に対する要求が存在する。また、無線送信機のレイテンシを低減し、かつ送信機バッファのオーバランの確率を低下または除去する装置、方法、および製品に対する要求も存在する。さらに、受信機においてオン／オフの動作周期の低減を可能とし、同時にデバイスがＥＣＭＡ−３６８  ＰＨＹおよびＭＡＣを備えているネットワークを含む無線ネットワークにおいて過大な送信レイテンシとバッファオーバランを避ける装置、方法、および製品に対する要求も存在する。
【発明の概要】
【０００７】
ここに開示される実施例は、受信機に更なるフレームが送信されないことを通知する「ノーモアフレーム（no more frame）」インジケータと共に時間基準（time reference）をスーパーフレームに含めるための装置、方法、および製品を提供することにより１つ以上の上述した要求に対処し得る。この時間基準は、例えば、特定の受信機へ送信を行わない特定の番号の時間スロットまたはマイクロ秒を示し得る。
【０００８】
無線送信信号を送る方法を開示する。本方法は第１のデバイスから第２のデバイスへの送信のためのペイロードデータが入手できないことを決定することを含む。また、本方法はペイロードデータが入手できない場合、第１のデバイスから第２のデバイスへインジケータの第１の値を送信すること、および第１のデバイスから第２のデバイスへ第１の時間基準値を送信することを含む。インジケータの第１の値は、第１のデバイスは第１の期間中第２のデバイスへ送信しないことを示し、第１の期間は第１の時間基準値によって定義された長さを有する。
【０００９】
メモリー、受信機、送信機、並びにこれら受信機、送信機、およびメモリーに接続された制御器を含む無線装置が開示される。本制御器は無線装置から無線デバイスへの送信のためのペイロードデータが入手できないことを決定するように構成される。ペイロードデータが入手できない場合、本制御器は無線装置から無線デバイスへインジケータの第１の値を送信するように、および無線装置から無線デバイスへ第１の時間基準値を送信するように構成される。インジケータの第１の値は、無線装置が、第１の時間基準値によって定義された長さを有する第１の期間中、無線デバイスへ送信しないことを示す。
【００１０】
命令を格納する機械可読媒体が開示される。本命令が無線装置の少なくとも１つの制御器によって実行されると、命令は無線装置に多くのステップを実行させる。これらのステップは、無線装置から無線デバイスへの送信のためのペイロードデータが入手できないことを決定することを含む。また、ペイロードデータが入手できない場合、これらのステップは無線装置から第２のデバイスへインジケータの第１の値を送信すること、および無線装置から第２のデバイスへ第１の時間基準値を送信することを含む。インジケータの第１の値は、無線装置が、第１の時間基準値によって定義された長さを有する第１の期間中、無線デバイスへ送信しないことを示す。
【００１１】
無線装置が開示される。本装置はデータを格納するための手段と、無線媒体上でデータを受信するための手段と、無線媒体上でデータを送信するための手段と、受信のための手段と送信のための手段とを制御するための制御器手段とを含む。この制御器手段は無線装置から無線デバイスへの送信のためのペイロードデータが入手できないことを決定するように構成される。また、ペイロードデータが入手できない場合、この制御器手段は無線装置から無線デバイスへインジケータの第１の値を送信するように、および無線装置から無線デバイスへ第１の時間基準値を送信するように構成される。インジケータの第１の値は、無線装置が、第１の時間基準によって定義された第１の期間中、無線デバイスへ送信しないことを示す。
【００１２】
無線デバイスを動作させる方法が開示される。本方法は無線装置からインジケータを受信し、そのインジケータが第１の値を有するかまたは第２の値を有するかを決定することを含む。第１の値を有するインジケータに対応して、本方法は無線装置から時間基準値を受信することと、その時間基準値に対応する時間の長さを選択することと、無線デバイスの受信機の少なくとも一部分をその時間長の間オフ状態にすることと、その時間長の終了時に受信機の前記少なくとも一部分をオン状態にすることとを含む。
【００１３】
無線デバイスが開示される。本無線デバイスはメモリー、受信機、送信機、および制御器を含む。この制御器はこれら受信機、送信機、およびメモリーに接続される。この制御器は無線装置からインジケータを受信、およびそのインジケータが第１の値を有するかまたは第２の値を有するかを決定するように構成される。第１の値を有するインジケータに対応して、この制御器は無線装置から時間基準値を受信し、その時間基準値に対応する時間の長さを選択し、無線デバイスの受信機の少なくとも一部分をその時間長の間オフ状態にし、およびその時間長の終了時に受信機の前記少なくとも一部分をオン状態にするように構成される。
【００１４】
命令を格納する機械可読媒体が開示される。本命令が無線デバイスの少なくとも１つの制御器によって実行されると、命令はその無線デバイスに多くのステップを実行させる。これらのステップは無線装置からインジケータを受信することを含む。また、これらのステップはそのインジケータが第１の値を有するかまたは第２の値を有するかを決定することを含む。第１の値を有するインジケータに対応して、これらのステップは無線装置から時間基準値を受信することと、その時間基準値に対応する時間の長さを選択することと、無線デバイスの受信機の少なくとも部分をその時間長の間オフ状態にすることと、その時間長の終了時に受信機の前記少なくとも部分をオン状態にすることとをさらに含む。
【００１５】
無線デバイスが開示される。本無線デバイスはデータを格納する手段、無線媒体上でデータを受信するための手段、無線媒体上にデータを送信するための手段、および受信のための手段と送信のための手段とを制御するための制御器手段を含む。この制御器手段は無線装置からインジケータを受信し、そのインジケータが第１の値を有するかまたは第２の値を有するかを決定するように構成される。さらに、第１の値を有するインジケータに対応して、本制御器手段は無線装置から時間基準値を受信し、その時間基準値に対応する時間の長さを選択し、受信のための手段の少なくとも部分をその時間長の間オフ状態にし、およびその時間長の終了時に受信のための手段の前記少なくとも部分をオン状態にするように構成される。
【００１６】
本発明のこれらのおよび他の態様は以下の説明、図面、および添付された特許請求項を参照してより良く理解されるだろう。
【図面の簡単な説明】
【００１７】
【図１】無線通信ネットワーク上で相互に交信している無線送信デバイスおよび無線受信デバイスの選択された構成要素を例示する図。
【図２】本発明の、時間基準の付加により修正された分散予約プロトコル（Distributed Reservation Protocol）予約方式に従う、スーパーフレーム送信の選択されたタイミング態様を例示する図。
【図３】本発明の、時間基準の付加により修正された優先競合アクセス（Prioritized Contention Access）方式に従うスーパーフレーム送信の選択されたタイミング態様を例示する図。
【図４】本発明の、時間基準を含む修正プロトコルに従って、送信デバイスから受信デバイスへの送信トラヒックのための選択されたステップと判定ブロックを例示する図。
【図５】本発明の、時間基準を含む修正プロトコルに従って、受信デバイスにおける受信トラヒックに対する処理の選択されたステップと判定ブロックを例示する図。
【発明を実施するための形態】
【００１８】
本明細書において、単語「実施例」、「変形例」、および類似の表現は必ずしも同じ装置、処理、または製品を参照するためではなく、特定の装置、処理、または製品を参照するために用いられる。したがって、１つの箇所または文脈で用いられる「一実施例」（または類似の表現）は、特定の装置、処理、または製品を参照し得る。また異なる箇所での同じまたは類似表現は異なる装置、処理、または製品を参照し得る。表現「代替的実施例」「代替的に」および類似の語句は多くの異なる潜在的実施例の１つを示すために用いられ得る。潜在的実施例の数は必ずしも２または他のいずれかの数量に限定されない。
【００１９】
単語「代表的」はここでは「例、実例、または例証として役立つこと」を意味するために用いられ得る。ここで「代表的」と説明されたいかなる実施例または変形例も、必ずしも他の実施例または変形例より好ましいまたは有利であると解釈されるべきではない。本明細書で説明されたすべての実施例および変形例は、当業者が本発明を製造または利用することを可能とするように提供されている代表的実施例および変形例であり、本発明に与えられた法的保護の範囲を限定するものではない。
【００２０】
図１に無線通信ネットワーク１００上で相互に交信している無線デバイス１２０および無線デバイス１４０の選択された構成要素を例示する。ネットワーク１００は最大１０メートル、最大３０メートル、または最大１００メートルの通信を可能にする無線パーソナルエリアネットワークであり得る。ネットワーク１００はデバイス１２０と１４０の間で設定されるアドホックネットワークであり得る。
【００２１】
デバイス１２０はプロセッサ１２２、メモリー１２４、ネットワーク１００のデバイス１４０および他の無線デバイスから無線通信を受信するための受信機１２６、並びにネットワーク１００のデバイス１４０および他の無線デバイスへ通信を送るための送信機１２８を含む。メモリー１２４、受信機１２６、および送信機１２８はプロセッサ１２２に接続される。プロセッサはこれらの構成要素を構成し、読み、および／またはこれらの構成要素に書くことが可能である。プロセッサ１２２は、本明細書において説明する送信デバイスプロセスのステップを実行するようにそれ自身および送信デバイス１２０を構成するために、メモリー１２４に格納された命令を実行し得る。
【００２２】
同様にデバイス１４０はプロセッサ１４２、メモリー１４４、およびネットワーク１００のデバイス１２０および他の無線デバイスから無線通信を受信するための受信機１４６、並びにネットワーク１００のデバイス１２０および他の無線デバイスへ通信を送るための送信機１４８を含む。メモリー１４４、受信機１４６、および送信機１４８はプロセッサ１４２に接続される。プロセッサはこれらの構成要素を構成し、読み、および／またはこれらの構成要素に書くことが可能である。プロセッサ１４２は、本明細書において説明する受信デバイスプロセスのステップを実行するようにそれ自身および受信デバイス１４０を構成するために、メモリー１４４に格納された命令を実行し得る。
【００２３】
例えば、プロセッサ１２２および１４２の各々は１つ以上のマイクロプロセッサ、１つ以上のディジタル信号プロセッサ、１つ以上の状態機械、またはそれらのデバイスの組合せを含み得る。メモリー１２４および１４４の各々は対応するプロセッサ（１２２または１４２）に内部または外部にあり得る。また、ランダムアクセスメモリー（ＲＡＭ）、読み出し専用メモリー（ＲＯＭ）、プログラマブルＲＯＭ（ＰＲＯＭ）、消去可能ＰＲＯＭ（ＥＰＲＯＭ）、電気的消去可能ＥＰＲＯＭ（ＥＥＰＲＯＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、高速ＳＤＲＡＭ（ＥＳＤＲＡＭ）、シンクリンク（Synchlink）ＤＲＡＭ（ＳＬＤＲＡＭ）、ｄｉｒｅｃｔ  Ｒａｍｂｕｓ  ＲＡＭ（ＤＲＲＡＭ）、磁気記憶装置、および／または他のメモリーを含み得る。
【００２４】
デバイス１２０および１４０の各々は、キーボード、ディスプレイ、ポインティングデバイス、並びにセルラおよびローカルエリアネットワーク（ＬＡＮ）を含む他のネットワークと交信するように設計された受信機および送信機を含む付加的要素を有し得る。セルラネットワークは、符号分割多重アクセス（ＣＤＭＡ）規格および広域移動通信（ＧＳＭ（登録商標））ネットワーク規格を含む例えばＵＴＲＡＮすなわちＵＭＴＳ地上無線アクセスネットワーク規格のもとで動作し得る。
【００２５】
デバイス１２０および１４０は無線通信プロトコル、例えばＵＷＢ  ＷｉＭｅｄｉａ規格のＥＣＭＡ−３６８に従うＭＡＣおよびＰＨＹ層を実施する無線プロトコルを用い得る。ＥＣＭＡ−３６８規格は、将来はより高いデータレートが予想されている最大４８０Ｍｂ／ｓの無線リンクのデータレートをサポートする。無線データリンクは１２８個の周波数副搬送波を有する直交周波数分割変調（ＯＦＤＭ）を用いる。データ送信は２５６μ秒の媒体アクセススロット（ＭＡＳ）内の同じ物理チャネル上で送られる。２５６個のＭＡＳを繰り返して「スーパーフレーム」構成する。したがって各スーパーフレームは長さが６５．５３６ｍ秒となる。各ＭＡＳは最大３個の最大サイズのデータフレームを送るために用いられ得る。ビーコンは各スーパーフレームの始めに１つまたはおそらくそれより多いＭＡＳにわたって置かれる。ビーコンは複数のネットワークデバイスが相互に見つけ出し、同期することを可能にし、また、一定のオーバヘッド情報を伝達することも可能とする。特に、ビーコンはアイソクロナスなトラヒックと他のトラヒックのための分散予約プロトコル（ＤＲＰ）のもとでＭＡＳ予約の通知を搬送し得る。ある予約における１つの予約ブロックは１つまたはいくつかの一時的に連続しているＭＡＳに対応し得るし、同じ予約における他のＭＡＳに隣接しないＭＡＳであり得る。予約しているデバイスは予約ブロックの間通信媒体への優先的または排他的アクセスを有する。デバイスはスーパーフレーム内に例えば３つのＤＲＰ予約ブロックを予約し得る。予約されたブロックは長さが異なり得る。ＤＲＰ送信は、ＥＣＭＡ−３６８規格でより詳細に説明されているように、ハード予約、ソフト予約、またはプライベート予約を用いてなされ得る。
【００２６】
現在のＥＣＭＡ−３６８規格の下では、デバイスは各スーパーフレーム内でビーコンを送信し、受信しているアクティブモードで動作し得る。また、デバイスはそのデバイスが受信または送信しない１つまたはいくつかのスーパーフレームの間、電力節約ハイバネーション(hibernation)モードで動作し得る。アクティブモードにおいて、デバイスは受信可能周期または休止周期のいずかにあり得る。受信可能デバイスは送信も受信も可能である。休止周期にあるデバイスは受信も送信もしない。
【００２７】
「モアフレーム（MORE FRAMES）」として知られる１ビットがＥＣＭＡ−３６８規格においては用いられ、アクティブ受信デバイスの休止周期への許可された遷移を制御する。このビットの値は（上述した）ＤＲＰ予約送信と、優先競合アクセス（ＰＣＡ）方式を介した送信とでは異なる。
【００２８】
送信デバイスが現在のＤＲＰ予約ブロック内のすべての送信待ちトラヒックの送信を完了することに成功すると、このデバイスはブロックの最後に送信されたフレーム内の送信モアフレームビットを０に設定する。次に、受信デバイスは、同じスーパーフレーム内の次の予約ブロックの開始まで送信デバイスから追加トラヒックが送られないことが保証され、次の予約ブロックに先行する指定されたガード時間まで休止周期に入ることが可能である。送信デバイスがモアフレームビットを０に設定した予約ブロックがスーパーフレームの最後の予約ブロックである場合、受信デバイスは、（別の送信デバイスの予約のような他の状態に従って）次のビーコンの期間の直前の特定のガード時間まで休止期間に入ることが可能である。逆に、ＤＲＰ予約ブロック内で送信中にモアフレームビットが１に設定される場合、送信機はそのブロックで追加トラヒックを送り、受信機は予約ブロック中は休止周期に入らないことになり得る。
【００２９】
ＰＣＡ方式は僅かに異なる方法で作動する。送信デバイスが、現在のスーパーフレームでＰＣＡ方式を介して送信待ちのすべてのトラヒックの送信を完了すると、その送信デバイスはモアフレームビットを０に設定する。送信デバイスは、スーパーフレーム中にＰＣＡを用いて特定の受信デバイスへ送信する最後のフレームにおいて、上記を行う。次に、特定の受信デバイスは次のスーパーフレームまで送信デバイスから追加の送信がなされないだろうということを知る。したがって、次のビーコン期間の前の予め定められたガード時間まで休止周期に入ることが可能である。ＰＣＡ送信は、ＥＣＭＡ−３６８規格でより詳細に説明されているように、無予約、ＰＣＡ  ＤＲＰ、またはソフトＤＲＰ中のＰＣＡ送信であり得る。
【００３０】
モアフレームビットが２つの送信方式（ＤＲＰ予約またはＰＣＡ）のいずれかにおいて一度０に設定されると、送信デバイスが受信デバイスへ送信しないことがあり得る期間の間隔（granularity）は極めて大きくなり得ることに留意されたい。同時に、送信デバイスのアプリケーションからのデータの到着は予測できないことがあり得る。またそのデータはバースト性であり得る。ピーク送信速度において、４キロバイトのパケットは約８０μ秒（１フレーム）期間に相当し、したがって、１ＭＡＳは１２キロバイトに相当する。モアフレームビットを０に設定した送信デバイスが受信デバイスへ送信を再開することが可能になるまで、数十のＭＡＳが落と(miss)されなければならなくなり得る。
【００３１】
ネットワーク１００の変形例に従って、送信デバイス（例えばデバイス１２０）は受信デバイス（例えばデバイス１４０）へ時間基準値を有する時間基準フィールドを送信するように構成される。時間基準値は送信デバイス１２０が受信デバイスへ送信しない期間の長さを示す。モアフレームを受信デバイス１４０への送信がなされないであろうことを示す値に設定する時に、または他の時間に、デバイス１２０は時間基準値を送り得る。時間基準は修正送信プロトコル規格のもとで、ＭＡＣヘッダで送信され得る。例えば、時間基準はデータフレームの拡張ＭＡＣヘッダ、ゼロレングスデータフレーム、またはコマンドフレームで伝達され得る。また、時間基準はＥＣＭＡ−３６８規格の最新版の下で許されているベンダ固有（vendor-specific）の命令フレームペイロード、またはベンダ固有の制御フレームペイロードで送信され得る。
【００３２】
受信デバイスはモアフレームビットおよび時間基準フィールド内の値を受信するように構成される。受信デバイスは受信した時間基準フィールドの値をデバイス１２０が無送信を保証する時間に変換する。次に、デバイス１４０はその受信機をオフにし、上記の時間まで休止周期に入ることが可能である。当然、受信機をオフにすることは、他の状態、例えばデバイス１２０に加えていかなる送信デバイスからもその受信デバイスに対して送信が予測されないような状態など、で決まり得る。
【００３３】
時間基準値は例えば、ミリ秒で、マイクロ秒で、ＭＡＳもしくは他の単位の数で、またはある変換表に従って定められる。この変換表は、時間基準フィールド内の取り得る限られた数の離散値と、同じ数の異なる時間基準期間とを関係づける表である。時間基準フィールドにおける値の間のこの関係は線形に、例えば時間基準フィールドの値の１の増加に対して１０（または、１２、２０、５０、または他の定数）マイクロ秒ずつ増加し得る。また、この関係は時間基準フィールドの値の増加に対して非線形に増加し得る。非線形の増加は、例えば、１，０００μ秒、２，０００μ秒、４，０００μ秒、８，０００μ秒、１６，０００μ秒、３２，０００μ秒のような実質的に幾何（指数）数列であり得る。このように、フィールド内の比較的少ないビットで時間基準の大きい変化に対応可能である。また、前記の増加は線形でも幾何級数的でもないことがあり得る。単位はマイクロ秒からＭＡＳへ、他の定数へ変わることが可能である。時間基準は絶対値または相対値で与えられ得る。例えば、単位がＭＡＳの場合、時間基準は絶対ＭＡＳ番号、または現在のＭＡＳに対する相対的ＭＡＳ番号であり得る。単位がマイクロ秒の場合、時間基準はスーパーフレームの開始または終了に関係するか、または時間基準を含むフレームに関係し得る。
【００３４】
時間基準はＤＲＰ予約方式、ＰＣＡ方式、または同じスーパーフレーム内のＰＣＡとＤＲＰ方式の双方を用いてデータ送信をするためのプロトコルに追加され得る。ビットで表した時間基準フィールドの長さがこれら２つの方式に対して異なるか、または同じであり得ることに注意のこと。また、時間基準フィールドの値のマイクロ秒、ＭＡＳまたは他の単位への変換が、これら２つの方式のもとで同じであるか、または異なり得ることに注意のこと。ＰＣＡへの参照は、ＥＣＭＡ−３６８規格で説明されているように、ソフトＤＲＰオーナ以外のデバイスによるソフトＤＲＰ中のＰＣＡ送信を含む。
【００３５】
図２に、時間基準の付加により修正されたＤＲＰ予約方式に従う、送信デバイス１２０から受信デバイス１４０へのスーパーフレーム２１０内の送信の選択されたタイミング態様２００を例示する。スーパーフレーム２１０は、２つのデバイスがそれら自身のビーコンを送り他のデバイスのビーコンを受信するビーコン期間２１５を、特徴として特に含む。次のスーパーフレームはＴ８で始まる。ビーコン期間２１５はビーコン期間の開始時間（ＢＰＳＴ）Ｔ０で始まり、Ｔ１で終了する。２つのビーコン２１６および２１７をビーコン期間２１５内に示す。特定の順序を持たずに示される送信デバイス１２０および受信デバイス１４０のビーコンがある。ビーコン期間２１５中に送信された付加的デバイスからの他のビーコンがあり得る。また、スーパーフレーム２１０は、ＤＲＰ予約方式を用いてデバイス１２０からデバイス１４０へ送信するための、予約ブロック２２５（Ｔ２からＴ３）、２３５（Ｔ４からＴ５）、および２４５（Ｔ６からＴ７）を含む。任意の所与のスーパーフレームに、より多いまたはより少ない予約ブロックが現れ得る。
【００３６】
線２５０は予約ブロック２２５、２３５、および２４５においてデバイス１４０をデバイス１２０からの送信信号を受信可能にするための、デバイス１４０の受信機のオンおよびオフ状態を表す。受信機が送信信号の到来時間までに動作することを確実にするために、受信機をビーコン期間２１５の前および予約ブロック２２５／２３５／２４５の各々の前の短いガード時間をオンするべきであることに注意のこと。他の時間の間、受信機はオフにされ得、デバイス１４０は休止周期であることが可能である。（この例は、スーパーフレーム２１０内でいかなる他のデバイスからもデバイス１４０への送信が無いことが予想されると仮定する。）したがって、線２５０は、送信デバイス１２０がデバイス１４０へのその送信のためにスーパーフレーム２１０内に予約した全帯域を用いる場合、休止周期を使用してエネルギーを節約するように構成されたデバイス１４０の受信機の実際のオン／オフ状態を表し得る。
【００３７】
線２６０は送信デバイス１２０が予約ブロック２３５のどこかでデータを使い切り次にデバイス１４０への送信データを再度有し全予約ブロック２４５を占める場合に、デバイス１４０を予約ブロック２２５／２３５／２４５の間デバイス１２０からの送信信号を受信可能にするための、デバイス１４０の受信機の取り得るオンおよびオフ状態を表す。この場合、送信デバイス１２０は予約ブロック２３５の間にモアフレームビットを０に設定し、それに応じて、デバイス１４０は時間Ｔ９において受信機をオフにする。上述した時間基準が無ければ、デバイス１２０が、モアフレームビットを０に設定したすぐ後で時間Ｔ１０でデバイス１４０への送信のための追加のトラヒックを受け取る場合、デバイス１２０は少なくとも次の予約ブロック２４５が始まる時間Ｔ６までトラヒックを送ることができないだろう。この遅延はバッファオーバーフローおよびレイテンシの増加を引き起こし得る。これらの問題を回避するために、デバイス１２０はモアフレームビットを０に設定することを遅延させ得る。また、デバイス１２０は上記のビットを０には全く設定しないことがあり得る。その場合、受信機のオンおよびオフ状態は線２５０で表される状態と同様であるだろう。
【００３８】
線２７０はすぐ上のパラグラフで説明したと同様の状況の下で、予約ブロック２２５／２３５／２４５の間にデバイス１４０をデバイス１２０からの送信信号を受信可能にするための、デバイス１４０の受信機の取り得るオンおよびオフ状態を表す。しかし、ここでは、デバイス１２０および１４０はモアフレームビットに対する時間基準を含む修正送信プロトコルのもとで動作するように構成される。送信デバイス１２０が予約ブロック２３５の間にデータを使い切り、モアフレームビットを０に設定する場合、送信デバイス１２０は時間基準フィールドの値を決定し、そのフィールドをデバイス１４０へ送信する。この決定は、例えば、予めプログラムされた定数値、デバイス１４０への送信のためのデータの統計的到着パターンのような状態、時刻、デバイス１４０の状態（例えば受信デバイスの電力節約および現在の電池充電レベルに対する感度）、受信デバイスへトラヒックを送る送信デバイスのアプリケーションのトラヒックレイテンシとスループットに対する感度、信号源のトラヒックパターンに関する知識、これらおよび他の要素の組合せ、またはその他、に基づいてなされ得る。デバイス１４０はモアフレームビットの０値を受信すると時間Ｔ９にその受信機をオフにし、時間基準フィールドの値に対応する期間が終了するとその受信機をオンにするようにそれ自身を構成する。例えば、デバイス１４０は時間基準に対応する時間Ｔ１１の直前にその受信機をオン状態に戻す。この時点で、送信デバイス１２０は受信デバイス１４０へ再度トラヒックを送信し得る。この時点で、デバイス１２０がデバイス１４０への送信のためのトラヒックを有しない場合、デバイス１２０はモアフレームビットを再び０に設定し、この例で仮定されているように、時間基準フィールドで適切な値を送信し得る。（Ｔ１１に続く）この時点で送信された時間基準フィールドの第２の値は、（Ｔ９の直前に送信された）第１の値と同じであり得るか、またはこれら２つの値は異なり得る。送信デバイスは時間基準の値を、例えば実質的に実時間で、すなわち送信デバイスがモアフレームビットを０に設定することを決定した時に、決定し得る。またはそのデバイスはより頻繁でなくそれを行い得る。次に、デバイス１４０は最新の時間基準に対応する時間Ｔ１２の直前までその受信機をオフにするだろう。デバイス１２０が、時間Ｔ１０でデバイス１４０への送信のためのトラヒックデータをそれまでに受け取っていると仮定すると、デバイス１２０はモアフレームビットを１に設定し、時間Ｔ１２でデバイス１４０へのトラヒック送信を開始する。
【００３９】
図３に、時間基準の付加により修正されたＰＣＡ方式に従う、送信デバイス１２０から受信デバイス１４０へのスーパーフレーム３１０内の送信の選択されたタイミング態様３００を例示する。スーパーフレーム３１０はＴ０で始まり、２つのデバイスがそれら自身のビーコンを送り他のデバイスのビーコンを受信するビーコン期間３１５（Ｔ０からＴ１）を、特徴として特に含む。次のスーパーフレームはＴ２で始まる。
【００４０】
線３５０はデバイス１４０がスーパーフレーム３１０の間にデバイス１２０から送信信号を受信することを可能にするための、デバイス１４０の受信機のオンおよびオフ状態を表す。ＰＣＡ方式が競合ベースであるため、デバイス１４０はデバイス１２０からスーパーフレーム３１０における全フレームを受信するまで、その受信機をオン状態に保持する。すなわち、デバイス１４０はデバイス１２０がモアフレームビットを０に設定するまで受信機をオンに保持する。この０の設定は図３において時間Ｔ３で起こる。モアフレームビットに対する時間基準が無ければ、デバイス１２０がデバイス１４０に対する新しいトラヒックがあるか否かに関係なく、デバイス１２０は次のスーパーフレームまでデバイス１４０への送信が許可されない。もしデバイス１２０がＴ４でデバイス１４０への送信のためのアプリケーションデータを受け取るならば、そのデータはＴ２の後のある時点まで待たなければならない。この遅れはバッファオーバーフローおよびレイテンシの増加を引き起こし得る。これらの問題を回避するために、デバイス１２０はモアフレームビットを０に設定することを遅らせ得る。また、デバイス１２０は上記のビットを０には全く設定しないことがあり得る。その場合、受信機はスーパーフレーム３１０の期間中オンとなるであるだろう。図３が、デバイス１４０からのビーコンが、１に設定されたＴＩＭ  ＩＥ必須ビットを伴うＰＣＡ可用性（Availability）ＩＥを含むことを想定していることに留意されたい。これはＰＣＡ送信においてモアフレームを使用するためのＥＣＭＡ−３６８前提条件である。例示における簡単さのために、図３はデバイス１４０からのＰＣＡ可用性ＩＥがすべてのＭＡＳにおける可用性を示していると仮定している。
【００４１】
線３６０はデバイス１２０および１４０がモアフレームビットに対する時間基準を含む修正送信プロトコルのもとで動作するように構成された状態で、スーパーフレーム３１０の間にデバイス１４０をデバイス１２０からの送信信号を受信可能にするための、デバイス１４０の受信機の取り得るオンおよびオフ状態を表す。
【００４２】
送信デバイス１２０はデータを使い切ると、モアフレームビットを０に設定する。デバイス１２０は時間基準フィールドの値を決定し、そのフィールドをデバイス１４０へ送信する。この決定は、例えば、予めプログラムされた定数値、デバイス１４０への送信のためのデータの統計的到着パターンのような状態、日の時刻、デバイス１４０の状態（例えば受信デバイスの電力節約および現在の電池充電レベルに対する感度）、受信デバイスへトラヒックを送る送信デバイスのアプリケーションのトラヒックレイテンシとスループットに対する感度、信号源のトラヒックパターンに関する知識、これらおよび他の要素の組合せ、またはその他、に基づいてなされ得る。デバイス１４０はモアフレームビットの０値を受信すると時間Ｔ３にその受信機をオフにし、時間基準フィールドの値に対応する期間が終了するとその受信機をオンにするようにそれ自身を構成する。例えば、デバイス１４０は時間基準に対応する時間Ｔ５の直前にその受信機をオン状態に戻す。この時点で、送信デバイス１２０は受信デバイス１４０へ再度トラヒックを送信し得る。この時点で、デバイス１２０がデバイス１４０への送信のためのトラヒックを有しない場合、デバイス１２０はモアフレームビットを再び０に設定し、この例で仮定されているように、時間基準フィールドで適切な値を送信し得る。（Ｔ５に続く）この時点で送信された時間基準の第２の値は（Ｔ３の直前に送信された）第１の値と同じであり得るか、またはこれら２つの値は異なり得る。送信デバイスは時間基準の値を、例えば実質的に実時間で、すなわち送信デバイスがモアフレームビットを０に設定することを決定した時に、決定し得る。またはそのデバイスはより頻繁でなくそれを行い得る。次に、デバイス１４０は最新の時間基準に対応する時間Ｔ６の直前までその受信機をオフにするようにそれ自身を構成するだろう。デバイス１２０が、（時間Ｔ４において）デバイス１４０への送信のためのトラヒックデータをそれまでに受け取っていると仮定すると、デバイス１２０はモアフレームビットを１に設定し、時間Ｔ６においてデバイス１４０へのトラヒック送信を開始する。データは実質的にスーパーフレーム３１０の残りのすべて（またはデバイス１４０に利用可能になったスーパーフレーム３１０の実質的にすべての残余の部分）を埋め得る。また、データはスーパーフレーム３１０の終了前に使い切り得る。その場合、モアフレームを０に設定し適切な時間基準を送るという処理が繰り返され得る。
【００４３】
図４に、モアフレームビットを有する時間基準を含む修正プロトコルに従って、送信デバイス１２０から受信デバイス１４０への送信トラヒックのための処理４００の選択されたステップを例示する。
【００４４】
フローの点４０１において、送信および受信デバイスは動作中であり相互に同期している。
【００４５】
ステップ４１０において、送信デバイスは受信デバイスへの送信のためのトラヒックデータが入手可能であることを決定する。
【００４６】
ステップ４１５において、送信デバイスはデータのフレームを適切な方式を用いて受信デバイスへ送信する。この送信はＤＲＰ予約ブロック内、または優先競合アクセスを通じて行うことが可能である。
【００４７】
判定ブロック４２０において、送信デバイスは追加のトラヒックデータが入手可能であるかどうかを決定する。可能であれば、処理フローはステップ４１５へ戻る。受信デバイスへ更なる送信すべきデータがなければ、処理フローはステップ４２５へ進み、モアフレームビットを０に設定することに伴う時間基準期間の長さを決定する。いくつかの変形例において、時間基準期間は予め決定され、時間基準期間はデバイス同期時点で提供され得る。時間基準期間は次の後続スーパーフレームまでの残余時間より短いことがあり得る。またそれは次の後続ＤＲＰ予約ブロックまでの残余時間より短いことがあり得る。
【００４８】
ステップ４３０において、送信デバイスはモアフレームビットを０に設定する。
【００４９】
ステップ４３５において、送信デバイスは時間基準を伝達するフィールドの値を設定する。
【００５０】
ステップ４４０において、送信デバイスはモアフレームビットおよび時間基準フィールドを受信デバイスへ送信する。
【００５１】
判定ブロック４４５において、送信デバイスは現時点で受信デバイスへの送信が許可されているかどうかを決定する。ＤＲＰ予約方式の場合には、例えば、この決定は、最後の時間基準値によって定義された期間の終了時に切れるように設定されたタイマの終了を検出することと、現在の時間がＤＲＰ予約ブロックの中に入っているかどうかを決定することとを含み得る。ＰＣＡ方式の場合には、例えば、この決定はタイマの終了の検出と、受信デバイスのＰＣＡ可用性ＩＥが現在のＭＡＳを含んでいるかどうかの決定と、受信デバイスへの送信のための回線競合が成功したかどうかの決定とを含み得る。送信デバイスの送信が許可される場合、処理フローは判定ブロック４２０へ戻り、ステップおよび判定４２０乃至４４５を繰り返す。送信デバイスの送信が許可されない場合、処理フローは判定ブロック４４５の入力へ戻る。
【００５２】
図４において、（実際のペイロードトラヒックのない）ダミーデータパケット、コマンドパケット、または制御パケットがステップ４４０で送られると仮定されていることに注意のこと。他の実施例において、判定ブロック４２０はステップ４１５と結合され、その結果、モアフレームビットを０に設定し時間基準を送るという決定は送信待ち行列の最後の利用可能なデータフレーム上で実行され得る。
【００５３】
図５に、モアフレームビットに対する時間基準を含む修正プロトコルに従って、受信デバイス１４０における送信デバイス１２０からの受信トラヒックに対する処理５００の選択されたステップを例示する。
【００５４】
フローの点５０１において、送信および受信デバイスは動作中であり相互に同期している。
【００５５】
判定ブロック５１０において、受信デバイスはその受信機がオン状態にある必要があるかどうかを決定する。ＤＲＰ予約方式の場合には、例えば、この決定は、最後の受信された時間基準値によって定義された期間の終了時に切れるように設定されたタイマの終了を検出することと、現在の時間がＤＲＰ予約ブロックの中に入っているかどうかを決定することとを伴い得る。ＰＣＡ方式の場合には、例えば、この決定は基準タイマの終了を検出することと、受信機のＰＣＡ可用性ＩＥおよび送信機のＴＩＭ  ＩＥが現在のＭＡＳの間にＰＣＡ送信を許可するかどうかを決定することとを含み得る。
【００５６】
受信機がオン状態にある必要がない場合、処理フローはステップ５１５ヘ進み、受信機を選択的にオフ状態にする（またはオフ状態を保つ）。次に判定ブロック５１０の入力へ戻る。受信機は、他の状態、例えばデバイス１２０以外のデバイスからの送信信号が受信機をオフ状態にする際に考慮され得るという意味で、選択的にオフにされる。
【００５７】
判定ブロック５１０で決定されるように、受信機がオン状態にされる必要がある場合、処理フローはステップ５２０へ進み受信機をオン状態にする。
【００５８】
ステップ５２５において、受信デバイスは送信デバイスからトラヒックおよび／または他のデータを受信する。この他のデータは最新のモアフレームビットおよび時間基準フィールドの値を含み得る。
【００５９】
判定ブロック５３０において、受信デバイスはモアフレームビットが０に設定されているかどうかを決定する。このビットがゼロに設定されている場合、処理フローは判定ブロック５１０の入力に戻る。それ以外の場合、処理フローはステップ５３５に進み、そこで最新の時間基準値に対応してタイマを設定する。
【００６０】
ステップ５３５から処理フローは判定ブロック５１０の入力に戻り、ステップおよび判定ブロック５１０乃至５３０を繰り返す。
【００６１】
上で提示された選択された例は、送信機が送信しないことを約束する期間を（時間基準無しのベースラインに較べて）短くするための時間基準の使用を例示した。また、上記約束時間を（再度時間基準無しのベースラインに較べて）伸張することも可能である。こうして、受信機のエネルギー節約が向上され得る。このように、ＤＲＰ予約方式を用いる場合、時間基準は次の予約ブロックまでの残余時間よりも長くされ得る。例えば、モアフレームビットを０に設定した直後の予約ブロックは部分的にスキップされ得る。その結果、受信デバイスは直後に続くブロックの中間のある時点でオンになる。また、このブロックは完全にスキップされ得る。その結果、受信デバイスは次のブロックの始めまたは中間にその受信機をオンにする。
【００６２】
本開示において、種々の方法のステップおよび判定ブロックは逐次的に説明してきたことがあり得るが、これらのステップおよび判定のいくつかは別々の要素によって、連携してまたは並列に、非同期にまたは同期して、パイプライン方式で、または他の方法で実行され得る。ステップおよび判定が明示的に示されたか、そうでなければ文脈から明らかにされるか、または固有に要求されるところ以外では、本記述が並べたと同じ順序で実行されるといういかなる特定の要求もない。しかし、選択された変形例において、ステップおよび判定が上で説明し、および／または付随する図面で示した特定の順序で実行されることに注意すべきである。さらに、例示したステップおよび判定すべてがすべてのシステムに必ずしも必要ではないことがあり得る。一方、明確に例示されてこなかったいくつかのステップおよび判定が、いくつかのシステムにおいて望ましいかまたは必要であり得る。
【００６３】
当業者は本明細書で説明した通信手法が双方向トラヒック送信と同様に単方向トラヒック送信に用いられ得ることが理解するだろう。
【００６４】
当業者は情報および信号は種々の異なる技術および手法のいずれかを用いて表され得ることを理解するだろう。例えば、上の記述中に参照され得るデータ、指示、命令、情報、信号、ビット、シンボル、およびチップは、電圧、電流、電磁波、磁場もしくは磁性粒子、光学場もしくは光粒子、またはそれらの任意の組合せで表され得る。
【００６５】
当業者はここに開示された実施例に関連して説明された種々の例示的論理ブロック、モジュール、回路およびアルゴリズムのステップは電子的ハードウェア、計算機ソフトウェア、または双方の組合せとして実施され得ることをさらに認識するだろう。ハードウェアとソフトウェアのこの互換性を明確に示すために、種々の例示的構成要素、ブロック、モジュール、回路、およびステップは、ここまで、それらの機能の面から一般的に説明してきたことがあり得る。そのような機能がハードウェア、ソフトウェア、またはハードウェアおよびソフトウェアの組合せとして実施されるかどうかは全体のシステムに課せられた特定の用途および設計制約に依存する。当業者は説明した機能を各特定の用途に対して異なる方法で実施し得るが、そのような実施の決定が本発明の範囲からの逸脱を引き起こすと解釈されるべきではない。
【００６６】
ここに開示された実施例に関して説明された例示的論理ブロック、モジュール、および回路は、汎用プロセッサ、ディジタル信号プロセッサ（ＤＳＰ）、特定用途向ＩＣ（ＡＳＩＣ）、プログラマブルゲートアレイ（ＦＰＧＡ）、フィールドプログラマブルゲートアレイ（ＦＰＧＡ）もしくは他のプログラム可能論理回路、個別ゲートもしくはトランジスタ論理、個別ハードウェア部品、またはここに説明した機能を実行するように設計されたそれらの任意の組合せで実施または実行され得る。汎用プロセッサはマイクロプロセッサであり得るが、代替的にはプロセッサは通常のプロセッサ、制御器、マイクロ制御器または状態機械であり得る。プロセッサはまた計算デバイスの組合せ、例えばＤＳＰとマイクロプロセッサ、複数のマイクロプロセッサ、ＤＳＰコアと連係した１つ以上のマイクロプロセッサ、または任意の他のそのような構成として実施され得る。
【００６７】
ここに開示された実施例に関して説明されたことがあり得る方法またはアルゴリズムのステップは、直接ハードウェアで、プロセッサで実行されるソフトウェアモジュールで、またはその２つの組合せで具体化され得る。ソフトウェアモジュールはＲＡＭメモリー、フラッシュメモリ、ＲＯＭメモリー、ＥＰＲＯＭメモリー、ＥＥＰＲＯＭメモリー、レジスタ、ハードディスク、可搬形ディスク、ＣＤ−ＲＯＭ、または当業者に既知の任意の形式の記憶媒体の中にあり得る。代表的記憶媒体はプロセッサが情報をその記憶媒体から読み出しおよび情報をその記憶媒体に書き込むことが可能なようにプロセッサに接続される。代替的には、記憶媒体はプロセッサの構成部品であり得る。プロセッサおよび記憶媒体はＡＳＩＣ内にあり得る。ＡＳＩＣはアクセス端末にあり得る。代替的に、プロセッサおよび記憶媒体は個別部品としてアクセス端末内にあり得る。
【００６８】
開示された実施例のこれまでの説明はいかなる当業者も本発明を製造しまたは使用することを可能にするように提供されている。これらの実施例への種々の変更は当業者に容易に明らかになるだろう。また、ここに定義した一般的原理は他の実施例に適用され得る。したがって、本発明はここに示した実施例に限定されることを意図されていず、ここに開示した原理および新規な特徴と矛盾しない最も広い範囲に一致されるべきものである。
【図１】
2015046908.tif 000003
【図２】
2015046908.tif 000004
【図３】
2015046908.tif 000005
【図４】
2015046908.tif 000006
【図５】
2015046908.tif 000007
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
ペイロードデータが入手可能であることに応じて、第１のデバイスから第２のデバイスへ前記ペイロードデータを送信することと、
前記第１のデバイスから前記第２のデバイスへ送信するための前記ペイロードデータが入手可能でないことを決定すること、
前記第１のデバイスから前記第２のデバイスへ送信するための前記ペイロードデータが入手可能でないことを決定することに応じて、前記第１のデバイスから前記第２のデバイスへインジケータの第１の値を送信することと、ここにおいて前記インジケータの前記第１の値は、第１の期間中に前記第１のデバイスが前記第２のデバイスへ送信を行わないことを示す、
前記第１のデバイスから前記第２のデバイスへ第１の時間基準値を送信することと、ここにおいて前記第１の時間基準値は前記第１の期間を置き換え、前記第１の時間基準値は、前記第１のデバイスから前記第２のデバイスへ送信するための前記ペイロードデータが入手可能でないことを決定することに応じて送信され、前記第１の時間基準値は、前記第１の期間よりも小さい第２の期間を定義し、前記第１のデバイスが、前記第２の期間中に前記第２のデバイスへ送信を行わない、
前記ペイロードデータが入手可能であることに応じて、前記第１のデバイスから前記第２のデバイスへ前記インジケータの第２の値を送信することと、ここにおいて前記インジケータの前記第２の値を送信する前記ステップは、前記インジケータの前記第１の値を送信する前記ステップおよび前記第１の時間基準値を送信する前記ステップの前に実行され、前記インジケータの前記第２の値は前記第１のデバイスが前記第２のデバイスへ前記ペイロードデータを送信することを示す、
前記第１のデバイスが、ＥＣＭＡ−３６８規格に従って前記第２のデバイスへ送信を行うように構成され、前記インジケータの前記第１の値を送信することは０に設定されたモアフレームビットを送信することを含んでおり、前記インジケータの前記第２の値を送信することは１に設定された前記モアフレームビットを送信することを含んでおり、
前記ペイロードデータを送信することが、スーパーフレーム内で実行され、前記第１の時間基準値を送信することは前記スーパーフレーム内で実行される、
無線送信信号を送るための方法。
【請求項２】
前記ペイロードデータを送信することが、分散予約プロトコル（ＤＲＰ）の予約を用いて実行される、請求項１に記載の方法。
【請求項３】
前記ペイロードデータを送信することが、無予約優先競合アクセス（ＰＣＡ）を用いて実行される、請求項１に記載の方法。
【請求項４】
前記ペイロードデータを送信することが、優先競合アクセス分散予約プロトコル（ＰＣＡ  ＤＲＰ）を用いて実行される、請求項１に記載の方法。
【請求項５】
前記ペイロードデータを送信することが、ソフト分散予約プロトコル（ＤＲＰ）の間に優先競合アクセス（ＰＣＡ）送信を用いて実行される、請求項１に記載の方法。
【請求項６】
前記ペイロードデータを送信することが、前記スーパーフレームの第１の予約ブロック内で分散予約プロトコル（ＤＲＰ）の予約を用いて実行され、前記第１の期間は、前記スーパーフレームの第２の予約ブロックの開始後に終了し、前記第２の予約ブロックは前記第１の予約ブロックの後に始まる、請求項１に記載の方法。
【請求項７】
前記ペイロードデータを送信することが、前記スーパーフレームの予約ブロック内で分散予約プロトコル（ＤＲＰ）の予約を用いて実行され、前記第１の期間は、前記予約ブロックの終了前に終了する、請求項１に記載の方法。
【請求項８】
前記第１の時間基準値を送信することが、ゼロレングスデータフレームの拡張ＭＡＣヘッダ内で前記第１の時間基準値を送信することを含む、請求項１に記載の方法。
【請求項９】
前記第１の時間基準値を送信することが、コマンドフレームの拡張ＭＡＣヘッダ内で前記第１の時間基準値を送信することを含む、請求項１に記載の方法。
【請求項１０】
前記第１の時間基準値を送信することが、ベンダ固有のコマンドフレームペイロード内で前記第１の時間基準値を送信することを含む、請求項１に記載の方法。
【請求項１１】
前記第１および前記第２のデバイスを含むネットワーク内のトラヒックパターンに少なくとも一部基づいて複数の時間基準値から前記第１の時間基準値を選択すること、
をさらに含む、請求項１に記載の方法。
【請求項１２】
前記ペイロードデータを生成するアプリケーションの、前記ペイロードデータのレイテンシおよびスループットに対する感度に少なくとも一部基づいて複数の時間基準値から前記第１の時間基準値を選択すること、
をさらに含む、請求項１に記載の方法。
【請求項１３】
複数の時間基準値を前記第１のデバイスに格納することと、
前記複数の時間基準値から前記第１の時間基準値を選択することと、
前記ペイロードが前記第２の期間が終了すると入手可能でなくなることに応じて、（１）前記第１のデバイスから前記第２のデバイスへ前記インジケータの前記第１の値を送信すること、（２）前記複数の時間基準値から第２の時間基準値を選択すること、ここにおいて前記第２の時間基準値は、前記第１の時間基準値と異なる、および（３）前記第１のデバイスから前記第２のデバイスへ前記第２の時間基準値を送信することとをさらに含み、
ここにおいて前記ペイロードが前記第２の期間が終了すると入手可能でなくなることに応じて、前記第１の値を送信することは、第３の期間中に前記第１のデバイスは前記第２のデバイスへ前記ペイロードデータを送信しないことを示しており、前記第３の期間は、前記第２の時間基準値によって定義された長さを有する、
請求項１に記載の方法。
【請求項１４】
メモリーと、
受信機と、
送信機と、
前記受信機、前記送信機、および前記メモリーに接続された制御器を含み、
前記制御器が、
ペイロードデータが入手可能であることに応じて、第１のデバイスから第２のデバイスへ前記ペイロードデータを送信するように、かつ
無線装置から無線デバイスへ送信するための前記ペイロードデータが入手可能でないことを決定するように、かつ
前記ペイロードデータが入手可能でないと決定される場合に、前記無線装置から前記無線デバイスへインジケータの第１の値を送信するように、ここにおいて前記インジケータの前記第１の値は、第１の期間中に前記無線装置が前記無線デバイスへ送信を行わないことを示す、かつ
前記無線装置から前記無線デバイスへ第１の時間基準値を送信するように、ここにおいて前記第１の時間基準値は前記第１の期間を置き換え、前記第１の時間基準値は、前記ペイロードデータが入手可能でないと決定される場合に送信され、前記第１の時間基準値は、前記第１の期間よりも小さい第２の期間を定義し、前記無線装置が、前記第２の期間中に前記無線デバイスへ送信を行わない、
構成され、
前記制御器が、前記ペイロードデータが入手可能である場合、前記インジケータの前記第１の値および前記第１の時間基準値を送信する前に、前記無線装置から前記無線デバイスへ前記インジケータの第２の値を送信するように構成され、ここにおいて前記インジケータの前記第２の値は、前記無線装置が前記無線デバイスへ前記ペイロードデータを送信することを示す、
前記無線装置が、ＥＣＭＡ−３６８規格に従って前記無線デバイスへ送信するように構成され、前記インジケータがモアフレームビットであり、前記インジケータの前記第１の値が０であり、前記インジケータの前記第２の値が１であり、
前記制御器が、スーパーフレーム内で前記ペイロードデータおよび前記第１の時間基準値を送信するように構成された、
無線装置。
【請求項１５】
前記制御器が、分散予約プロトコル（ＤＲＰ）の予約を用いて前記ペイロードデータを送信するように構成された、請求項１４に記載の無線装置。
【請求項１６】
前記制御器が、無予約優先競合アクセス（ＰＣＡ）を用いて前記ペイロードデータを送信するように構成された、請求項１４に記載の無線装置。
【請求項１７】
前記制御器が、優先競合アクセス分散予約プロトコル（ＰＣＡ  ＤＲＰ）を用いて前記ペイロードデータを送信するように構成された、請求項１４に記載の無線装置。
【請求項１８】
前記制御器が、ソフト分散予約プロトコル（ＤＲＰ）の間に優先競合アクセス（ＰＣＡ）送信を用いて前記ペイロードデータを送信するように構成された、請求項１４に記載の無線装置。
【請求項１９】
前記制御器が、ゼロレングスデータフレームの拡張ＭＡＣヘッダ内で前記第１の時間基準値を送信するように構成された、請求項１４に記載の無線装置。
【請求項２０】
前記制御器が、コマンドフレームの拡張ＭＡＣヘッダ内で前記第１の時間基準値を送信するように構成された、請求項１４に記載の無線装置。
【請求項２１】
前記制御器が、ベンダ固有のコマンドフレームペイロード内で前記第１の時間基準値を送信するように構成された、請求項１４に記載の無線装置。
【請求項２２】
前記制御器が、前記無線装置および前記無線デバイスを含むネットワーク内のトラヒックパターンに少なくとも一部基づいて複数の時間基準値から前記第１の時間基準値を選択するようにさらに構成された、請求項１４に記載の無線装置。
【請求項２３】
前記制御器が、前記無線デバイスの電力節約および前記無線デバイスの現在の電池充電レベルに対する感度に少なくとも一部基づいて複数の時間基準値から前記第１の時間基準値を選択するようにさらに構成された、請求項１４に記載の無線装置。
【請求項２４】
前記制御器が、
複数の時間基準値から前記第１の時間基準値を選択するように、かつ
前記ペイロードデータが前記第２の期間が終了すると入手可能でなくなることに応じて、（１）前記無線装置から前記無線デバイスへ前記インジケータの前記第１の値を送信し、（２）前記複数の時間基準値から第２の時間基準値を選択し、ここにおいて前記第２の時間基準値は、前記第１の時間基準値と異なる、および（３）前記無線装置から前記無線デバイスへ前記第２の時間基準値を送信するように、構成され、
前記ペイロードデータが前記第２の期間が終了すると入手可能でなくなることに応じた前記第１の値の送信は、第３の期間中に前記無線装置は前記無線デバイスへ前記ペイロードデータを送信しないことを示し、前記第３の期間は、前記第２の時間基準値によって定義された長さを有する、
請求項１４に記載の無線装置。
【請求項２５】
命令を含むコンピュータ可読記憶媒体であって、前記命令が無線装置の少なくとも１つの制御器によって実行されると、前記命令が前記無線装置に、
ペイロードデータが入手可能であることに応じて、第１のデバイスから第２のデバイスへ前記ペイロードデータを送信することと、
前記無線装置から無線デバイスへ送信するための前記ペイロードデータが入手可能でないことを決定することと、
前記ペイロードデータが入手可能でないと決定される場合に、前記無線装置から前記無線デバイスへインジケータの第１の値を送信することと、ここにおいて前記インジケータの前記第１の値は、第１の期間中に前記無線装置が前記無線デバイスへ送信を行わないことを示す、
前記無線装置から前記無線デバイスへ第１の時間基準値を送信することと、ここにおいて前記第１の時間基準値は前記第１の期間を置き換え、前記第１の時間基準値は、前記ペイロードデータが入手可能でないと決定される場合に送信され、前記第１の時間基準値は、前記第１の期間よりも小さい第２の期間を定義し、前記第２の期間中に前記無線装置が前記無線デバイスへ送信を行わない、
前記ペイロードデータが入手可能であることに応じて、前記無線装置から前記無線デバイスへ前記インジケータの第２の値を送信することと、ここにおいて前記インジケータの前記第２の値を送信することは、前記インジケータの前記第１の値を送信することおよび前記第１の時間基準値を送信することの前に実行され、前記インジケータの前記第２の値が前記無線装置は前記無線デバイスへ前記ペイロードデータを送信することを示す、
ＥＣＭＡ−３６８規格に従って前記無線デバイスへ送信することと、ここにおいて前記インジケータの前記第１の値を送信することは０に設定されたモアフレームビットを送信することを含んでおり、前記インジケータの前記第２の値を送信することは１に設定された前記モアフレームビットを送信することを含んでおり、前記ペイロードデータを送信することが、スーパーフレーム内で実行され、前記第１の時間基準値を送信することは前記スーパーフレーム内で実行される、
を実行させる、コンピュータ可読記憶媒体。
【請求項２６】
前記ペイロードデータを送信することが、分散予約プロトコル（ＤＲＰ）の予約を用いて実行される、請求項２５に記載のコンピュータ可読記憶媒体。
【請求項２７】
前記ペイロードデータを送信することが、無予約優先競合アクセス（ＰＣＡ）を用いて実行される、請求項２５に記載のコンピュータ可読記憶媒体。
【請求項２８】
前記ペイロードデータを送信することが、優先競合アクセス分散予約プロトコル（ＰＣＡ  ＤＲＰ）を用いて実行される、請求項２５に記載のコンピュータ可読記憶媒体。
【請求項２９】
前記ペイロードデータを送信することが、ソフト分散予約プロトコル（ＤＲＰ）の間に優先競合アクセス（ＰＣＡ）送信を用いて実行される、請求項２５に記載のコンピュータ可読記憶媒体。
【請求項３０】
前記第１の時間基準値を送信することが、ゼロレングスデータフレームの拡張ＭＡＣヘッダ内で前記第１の時間基準値を送信することを含む、請求項２５に記載のコンピュータ可読記憶媒体。
【請求項３１】
前記第１の時間基準値を送信することが、コマンドフレームの拡張ＭＡＣヘッダ内で前記第１の時間基準値を送信することを含む、請求項２５に記載のコンピュータ可読記憶媒体。
【請求項３２】
前記第１の時間基準値を送信することが、ベンダ固有のコマンドフレームペイロード内で前記第１の時間基準値を送信することを含む、請求項２５に記載のコンピュータ可読記憶媒体。
【請求項３３】
前記命令が前記無線装置に、
前記無線装置および前記無線デバイスを含むネットワーク内のトラヒックパターンに少なくとも一部基づいて、複数の時間基準値から前記第１の時間基準値を選択すること
をさらに実行させる、請求項２５に記載のコンピュータ可読記憶媒体。
【請求項３４】
前記命令が前記無線装置に、
前記無線デバイスの電力節約および前記無線デバイスの現在の電池充電レベルに対する感度に少なくとも一部基づいて、複数の時間基準値から前記第１の時間基準値を選択すること、
をさらに実行させる、請求項２５に記載のコンピュータ可読記憶媒体。
【請求項３５】
前記命令が前記無線装置に、
前記無線装置に格納された複数の時間基準値から前記第１の時間基準値を選択することと、
前記ペイロードが前記第２の期間が終了すると入手可能でなくなることに応じて、（１）前記無線装置から前記無線デバイスへ前記インジケータの前記第１の値を送信すること、（２）前記複数の時間基準値から第２の時間基準値を選択すること、ここにおいて前記第２の時間基準値は、前記第１の時間基準値と異なる、および（３）前記無線装置から前記無線デバイスへ前記第２の時間基準値を送信することとをさらに実行させ、
前記ペイロードが前記第２の期間が終了すると入手可能でなくなることに応じて、前記第１の値を送信する前記ステップが、第３の期間中に前記無線装置は前記無線デバイスへ前記ペイロードデータを送信しないことを示し、前記第３の期間は、前記第２の時間基準値によって定義された長さを有する、
請求項２５に記載のコンピュータ可読記憶媒体。
【請求項３６】
無線装置からペイロードを受信することと、
前記無線装置からインジケータを受信することと、
前記インジケータが第１の時間の長さ中に前記無線装置が前記無線デバイスへ送信を行わないことを示す第１の値を有することを決定することと、
前記無線装置から時間基準値を受信することと、ここにおいて前記時間基準値は前記第１の時間の長さを置き換え、前記時間基準値は、前記インジケータが前記第１の値を有していることに応じて送信され、前記時間基準値は、前記第１の時間の長さよりも小さい第２の時間の長さを定義し、前記第２の時間の長さ中に前記無線装置が前記無線デバイスへ送信を行わない、
前記時間基準値に対応する前記第２の時間の長さを選択することと、
前記第２の時間の長さの間、前記無線デバイスの受信機の少なくとも一部をオフ状態にすることと、
前記第２の時間の長さが終了すると、前記受信機の前記少なくとも一部をオン状態にすることと、
前記ペイロードデータが入手可能であることに応じて、前記第１のデバイスから前記第２のデバイスへ前記インジケータの第２の値を送信することと、ここにおいて前記インジケータの前記第２の値を送信する前記ステップは、前記インジケータの前記第１の値を送信する前記ステップおよび第１の時間基準値を送信する前記ステップの前に実行され、前記インジケータの前記第２の値は前記第１のデバイスが前記第２のデバイスへ前記ペイロードデータを送信することを示す、
を含み、
前記第１のデバイスが、ＥＣＭＡ−３６８規格に従って前記第２のデバイスへ送信を行うように構成され、前記インジケータの前記第１の値を送信することは０に設定されたモアフレームビットを送信することを含んでおり、前記インジケータの前記第２の値を送信することは１に設定された前記モアフレームビットを送信することを含んでおり、前記ペイロードデータを送信することが、スーパーフレーム内で実行され、前記第１の時間基準値を送信することは前記スーパーフレーム内で実行される、
無線デバイスを動作させる方法。
【請求項３７】
メモリーと、
受信機と、
送信機と、
前記受信機、前記送信機、および前記メモリーに接続された制御器とを含み、前記制御器が、
無線装置からペイロードを受信するように、かつ
前記無線装置からインジケータを受信するように、かつ
前記インジケータが第１の時間の長さ中に前記無線装置が前記無線デバイスへ送信を行わないことを示す第１の値を有することを決定するように、かつ
前記無線装置から時間基準値を受信するように、ここにおいて前記時間基準値は前記第１の時間の長さを置き換え、前記時間基準値は、前記インジケータが前記第１の値を有することに応じて送信され、前記時間基準値は、前記第１の時間の長さよりも小さい第２の時間の長さを定義し、前記第２の時間の長さ中に前記無線装置が前記無線デバイスへ送信を行わない、かつ
前記時間基準値に対応する前記第２の時間の長さを選択するように、かつ
前記第２の時間の長さの間、前記無線デバイスの受信機の少なくとも一部をオフ状態にするように、かつ
前記第２の時間の長さが終了すると前記受信機の前記少なくとも一部をオン状態にするように、構成され、
前記制御器は、前記ペイロードデータが入手可能である場合、前記インジケータの前記第１の値および前記第１の時間基準値を送信する前に、前記無線装置から前記無線デバイスへ前記インジケータの第２の値を送信するようにさらに構成され、ここにおいて前記インジケータの前記第２の値は、前記無線装置が前記無線デバイスへ前記ペイロードデータを送信することを示す、
前記無線装置が、ＥＣＭＡ−３６８規格に従って前記無線デバイスへ送信するように構成され、前記インジケータがモアフレームビットであり、前記インジケータの前記第１の値が０であり、前記インジケータの前記第２の値が１であり、かつ
前記制御器が、スーパーフレーム内で前記ペイロードデータおよび前記第１の時間基準値を送信するように構成された、
無線デバイス。
【請求項３８】
命令を含む非トランジトリなコンピュータ可読記憶媒体であって、前記命令が無線デバイスの少なくとも１つの制御器によって実行されると、前記命令が前記無線デバイスに、
無線装置からペイロードを受信することと、
前記無線装置からインジケータを受信することと、
前記インジケータが第１の時間の長さ中に前記無線装置が前記無線デバイスへ送信を行わないことを示す第１の値を有することを決定することと、
前記無線装置から時間基準値を受信することと、ここにおいて前記時間基準値は、前記第１の時間の長さを置き換え、前記時間基準値は、前記インジケータが前記第１の値を有していることに応じて送信され、前記時間基準値は、前記第１の時間の長さよりも小さい第２の時間の長さを定義し、前記無線装置が前記第２の時間の長さ中に、前記無線デバイスへ送信を行わない、
前記時間基準値に対応する前記第２の時間の長さを選択することと、
前記第２の時間の長さの間、前記無線デバイスの受信機の少なくとも一部をオフ状態にすることと、
前記第２の時間の長さが終了すると、前記受信機の前記少なくとも一部をオン状態にすること、
前記ペイロードデータが入手可能であることに応じて、前記無線装置から前記無線デバイスへ前記インジケータの第２の値を送信することと、ここにおいて前記インジケータの前記第２の値を送信することは、前記インジケータの前記第１の値を送信することおよび前記第１の時間基準値を送信することの前に実行され、前記インジケータの前記第２の値は、前記無線装置が前記無線デバイスへ前記ペイロードデータを送信することを示す、
ＥＣＭＡ−３６８規格に従って前記無線デバイスへ送信を行うことと、ここにおいて前記インジケータの前記第１の値を送信することは０に設定されたモアフレームビットを送信することを含んでおり、前記インジケータの前記第２の値を送信することは１に設定された前記モアフレームビットを送信することを含んでいる、
を実行させ、
前記ペイロードデータを送信することが、スーパーフレーム内で実行され、前記第１の時間基準値を送信することは前記スーパーフレーム内で実行される、
非トランジトリなコンピュータ可読記憶媒体。
【手続補正２】
【補正対象書類名】明細書
【補正対象項目名】００６８
【補正方法】変更
【補正の内容】
【００６８】
開示された実施例のこれまでの説明はいかなる当業者も本発明を製造しまたは使用することを可能にするように提供されている。これらの実施例への種々の変更は当業者に容易に明らかになるだろう。また、ここに定義した一般的原理は他の実施例に適用され得る。したがって、本発明はここに示した実施例に限定されることを意図されていず、ここに開示した原理および新規な特徴と矛盾しない最も広い範囲に一致されるべきものである。
以下に、本願出願の当初の特許請求の範囲に記載された発明を付記する。
［Ｃ１］
第１のデバイスから第２のデバイスへ送信するためのペイロードデータが入手可能でないことを決定すること、
前記決定のステップに応じて、前記第１のデバイスから前記第２のデバイスへインジケータの第１の値を送信すること、
前記第１のデバイスから前記第２のデバイスへ第１の時間基準値を送信することであって、前記インジケータの前記第１の値は、前記第１の時間基準値によって定義される長さを有する第１の期間中に前記第１のデバイスが前記第２のデバイスへ送信を行わないことを示すこと、を含む
無線送信信号を送るための方法。
［Ｃ２］
前記ペイロードデータが入手可能であることに応じて、前記インジケータの前記第１の値を送信する前記ステップ及び前記第１の時間基準値を送信する前記ステップの前に実行されることであり、前記第１のデバイスから前記第２のデバイスへ前記ペイロードデータを送信することと、
前記ペイロードデータが入手可能であることに応じて、前記インジケータの前記第１の値を送信する前記ステップ及び前記第１の時間基準値を送信する前記ステップとの前に実行されることであり、前記第１のデバイスから前記第２のデバイスへ前記インジケータの第２の値を送信することとをさらに含み、前記インジケータの前記第２の値は前記第１のデバイスが前記第２のデバイスへ前記ペイロードデータを送信することを示すこと、を含む
Ｃ１に記載の方法。
［Ｃ３］
前記第１のデバイスが、ＥＣＭＡ−３６８規格に従って前記第２のデバイスへ送信を行うように構成され、前記インジケータの前記第１の値を送信する前記ステップは０に設定されたモアフレームビットを送信するステップを含んでおり、前記インジケータの前記第２の値を送信する前記ステップは１に設定された前記モアフレームビットを送信することを含んでおり、
前記ペイロードデータを送る前記ステップが、スーパーフレーム内で実行され、前記第１の時間基準値を送信する前記ステップは前記スーパーフレーム内で実行される、
Ｃ２に記載の方法。
［Ｃ４］
前記ペイロードデータを送信する前記ステップが、分散予約プロトコル（ＤＲＰ）の予約を用いて実行される、Ｃ３に記載の方法。
［Ｃ５］
前記ペイロードデータを送信する前記ステップが、無予約優先競合アクセス（ＰＣＡ）を用いて実行される、Ｃ３に記載の方法。
［Ｃ６］
前記ペイロードデータを送信する前記ステップが、優先競合アクセス分散予約プロトコル（ＰＣＡ  ＤＲＰ）を用いて実行される、Ｃ３に記載の方法。
［Ｃ７］
前記ペイロードデータを送信する前記ステップが、ソフト分散予約プロトコル（ＤＲＰ）の間に優先競合アクセス（ＰＣＡ）送信を用いて実行される、Ｃ３に記載の方法。
［Ｃ８］
前記ペイロードデータを送信する前記ステップが、前記スーパーフレームの第１の予約ブロック内で分散予約プロトコル（ＤＲＰ）を用いて実行され、前記第１の期間は、前記スーパーフレームの第２の予約ブロックの開始後に終了し、前記第２の予約ブロックは前記第１の予約ブロックの後に始まる、Ｃ３に記載の方法。
［Ｃ９］
前記ペイロードデータを送信する前記ステップが、前記スーパーフレームの予約ブロック内で分散予約プロトコル（ＤＲＰ）を用いて実行され、前記第１の期間は、前記予約ブロックの終了前に終了する、Ｃ３に記載の方法。
［Ｃ１０］
前記第１の時間基準値を送信する前記ステップが、ゼロレングスデータフレームの拡張ＭＡＣヘッダ内で前記第１の時間基準値を送信することを含む、Ｃ３に記載の方法。
［Ｃ１１］
前記第１の時間基準値を送信する前記ステップが、コマンドフレームの拡張ＭＡＣヘッダ内で前記第１の時間基準値を送信することを含む、Ｃ３に記載の方法。
［Ｃ１２］
前記第１の時間基準値を送信する前記ステップが、ベンダ固有のコマンドフレームペイロード内で前記第１の時間基準値を送信することを含む、Ｃ３に記載の方法。
［Ｃ１３］
前記第１および前記第２のデバイスを含むネットワーク内のトラヒックパターンに少なくとも一部基づいて複数の時間基準値から前記第１の時間基準値を選択すること、
をさらに含む、Ｃ３に記載の方法。
［Ｃ１４］
前記ペイロードデータを生成するアプリケーションの、前記ペイロードのレイテンシおよびスループットに対する感度に少なくとも一部基づいて複数の時間基準値から前記第１の時間基準値を選択すること、
をさらに含む、Ｃ３に記載の方法。
［Ｃ１５］
複数の時間基準値を前記第１のデバイスに格納することと、
前記複数の時間基準値から前記第１の時間基準値を選択することと、
前記ペイロードが前記第１の期間が終了すると入手可能でなくなることに応じて、（１）前記第１のデバイスから前記第２のデバイスへ前記インジケータの前記第１の値を送信すること、（２）前記複数の時間基準値から前記第１の時間基準値と異なる第２の時間基準値を選択すること、および（３）前記第１のデバイスから前記第２のデバイスへ前記第２の時間基準値を送信することとをさらに含み、
ここで前記ペイロードが前記第１の期間が終了すると入手可能でなくなることに応じて、前記第１の値を送信するステップは、前記第２の時間基準値によって定義された長さを有する第２の期間中に前記第１のデバイスは前記第２のデバイスへ前記ペイロードデータを送信しないことを示している、
Ｃ３に記載の方法。
［Ｃ１６］
メモリーと、
受信機と、
送信機と、
前記受信機、前記送信機、および前記メモリーに接続された制御器を含み、
前記制御器が、
前記無線装置から無線デバイスへ送信するためのペイロードデータが入手可能でないことを決定するように、かつ
前記ペイロードデータが入手可能でない場合に、前記無線装置から前記無線デバイスへインジケータの第１の値を送信するように、かつ
前記無線装置から前記無線デバイスへ第１の時間基準値を送信するように構成され、前記インジケータの前記第１の値が、前記無線装置は前記第１の時間基準値によって定義される長さを有する第１の期間中に前記無線デバイスへ送信しないことを示す、
無線装置。
［Ｃ１７］
前記制御器が、
前記ペイロードデータが入手可能である場合、前記インジケータの前記第１の値および前記第１の時間基準値を送信する前に前記無線デバイスへ前記ペイロードデータを送信するように、かつ
前記ペイロードデータが入手可能である場合、前記インジケータの前記第１の値および前記第１の時間基準値を送信する前に、前記無線装置から前記無線デバイスへ前記インジケータの第２の値を送信するように構成され、前記インジケータの前記第２の値は、前記無線装置が前記無線デバイスへ前記ペイロードデータを送信することを示す、
Ｃ１６に記載の無線装置。
［Ｃ１８］
前記無線装置が、ＥＣＭＡ−３６８規格に従って前記無線デバイスへ送信するように構成され、前記インジケータがモアフレームビットであり、前記インジケータの前記第１の値が０であり、前記インジケータの前記第２の値が１であり、かつ
前記制御器が、スーパーフレーム内で前記ペイロードデータおよび前記第１の時間基準値を送信するように構成された、
Ｃ１７に記載の無線装置。
［Ｃ１９］
前記制御器が、分散予約プロトコル（ＤＲＰ）の予約を用いて前記ペイロードデータを送信するように構成された、Ｃ１６に記載の無線装置。
［Ｃ２０］
前記制御器が、無予約優先競合アクセス（ＰＣＡ）を用いて前記ペイロードデータを送信するように構成された、Ｃ１６に記載の無線装置。
［Ｃ２１］
前記制御器が、優先競合アクセス分散予約プロトコル（ＰＣＡ  ＤＲＰ）を用いて前記ペイロードデータを送信するように構成された、Ｃ１６に記載の無線装置。
［Ｃ２２］
前記制御器が、ソフト分散予約プロトコル（ＤＲＰ）の間に優先競合アクセス（ＰＣＡ）送信を用いて前記ペイロードデータを送信するように構成された、Ｃ１６に記載の無線装置。
［Ｃ２３］
前記制御器が、ゼロレングスデータフレームの拡張ＭＡＣヘッダ内で前記第１の時間基準値を送信するように構成された、Ｃ１６に記載の無線装置。
［Ｃ２４］
前記制御器が、コマンドフレームの拡張ＭＡＣヘッダ内で前記第１の時間基準値を送信するように構成された、Ｃ１６に記載の無線装置。
［Ｃ２５］
前記制御器が、ベンダ固有のコマンドフレームペイロード内で前記第１の時間基準値を送信するように構成された、Ｃ１６に記載の無線装置。
［Ｃ２６］
前記制御器が、前記無線装置および前記無線デバイスを含むネットワーク内のトラヒックパターンに少なくとも一部基づいて複数の時間基準値から前記第１の時間基準値を選択するようにさらに構成された、Ｃ１６に記載の無線装置。
［Ｃ２７］
前記制御器が、前記無線デバイスの電力節約および前記無線デバイスの現在の電池充電レベルに対する感度に少なくとも一部基づいて複数の時間基準値から前記第１の時間基準値を選択するようにさらに構成された、Ｃ１６に記載の無線装置。
［Ｃ２８］
前記制御器が、
複数の時間基準値から前記第１の時間基準値を選択するように構成され、かつ
前記ペイロードデータが前記第１の期間が終了すると入手可能でなくなることに応じて、（１）前記無線装置から前記無線デバイスへ前記インジケータの前記第１の値を送信し、（２）前記複数の時間基準値から前記第１の時間基準値と異なる第２の時間基準値を選択し、および（３）前記無線装置から前記無線デバイスへ前記第２の時間基準値を送信するようにさらに構成され、前記ペイロードデータが前記第１の期間が終了すると入手可能でなくなることに応じて、前記第１の値の送信が前記第２の時間基準値によって定義された長さを有する第２の期間中に前記無線装置は前記無線デバイスへ前記ペイロードデータを送信しないことを示す、
Ｃ１６に記載の無線装置。
［Ｃ２９］
命令を含む機械可読媒体であって、前記命令が無線装置の少なくとも１つの制御器によって実行されると、前記命令が前記無線装置に、
前記無線装置から無線デバイスへ送信するためのペイロードデータが入手可能でないことを決定することと、
前記決定ステップに応じて、前記無線装置から前記第２のデバイスへインジケータの第１の値を送信することと、
前記無線装置から前記第２のデバイスへ第１の時間基準値を送信することとを含むステップを実行させ、前記インジケータの前記第１の値が、前記第１の時間基準値によって定義される長さを有する第１の期間中に前記無線装置は前記無線デバイスへ送信しないことを示す、
機械可読媒体。
［Ｃ３０］
前記ステップが、
前記ペイロードデータが入手可能であることに応じて、前記インジケータの前記第１の値を送信する前記ステップと前記第１の時間基準値を送信する前記ステップとの前に実行される、前記無線装置から前記無線デバイスへ前記ペイロードデータを送信することと、
前記ペイロードデータが入手可能であることに応じて、前記インジケータの前記第１の値を送信するステップと前記第１の時間基準値を送信する前記ステップとの前に実行される、前記無線装置から前記無線デバイスへ前記インジケータの第２の値を送信することとをさらに含み、前記インジケータの前記第２の値が前記第１のデバイスは前記第２のデバイスへ前記ペイロードデータを送信することを示す、
Ｃ２９に記載の機械可読媒体。
［Ｃ３１］
前記無線装置が、ＥＣＭＡ−３６８規格に従って前記無線デバイスへ送信するように構成され、前記インジケータの前記第１の値を送信する前記ステップは０に設定されたモアフレームビットを送信するステップを含んでおり、前記インジケータの前記第２の値を送信する前記ステップは１に設定された前記モアフレームビットを送信することを含んでおり、
前記ペイロードデータを送る前記ステップが、スーパーフレーム内で実行され、前記第１の時間基準値を送信する前記ステップは前記スーパーフレーム内で実行される、
Ｃ３０に記載の機械可読媒体。
［Ｃ３２］
前記ペイロードデータを送信する前記ステップが、分散予約プロトコル（ＤＲＰ）の予約を用いて実行される、Ｃ３１に記載の機械可読媒体。
［Ｃ３３］
前記ペイロードデータを送信する前記ステップが、無予約優先競合アクセス（ＰＣＡ）を用いて実行される、Ｃ３１に記載の機械可読媒体。
［Ｃ３４］
前記ペイロードデータを送信する前記ステップが、優先競合アクセス分散予約プロトコル（ＰＣＡ  ＤＲＰ）を用いて実行される、Ｃ３１に記載の機械可読媒体。
［Ｃ３５］
前記ペイロードデータを送信する前記ステップが、ソフト分散予約プロトコル（ＤＲＰ）の間に優先競合アクセス（ＰＣＡ）送信を用いて実行される、Ｃ３１に記載の機械可読媒体。
［Ｃ３６］
前記第１の時間基準値を送信する前記ステップが、ゼロレングスデータフレームの拡張ＭＡＣヘッダ内で前記第１の時間基準値を送信することを含む、Ｃ３１に記載の機械可読媒体。
［Ｃ３７］
前記第１の時間基準値を送信する前記ステップが、コマンドフレームの拡張ＭＡＣヘッダ内で前記第１の時間基準値を送信することを含む、Ｃ３１に記載の機械可読媒体。
［Ｃ３８］
前記第１の時間基準値を送信する前記ステップが、ベンダ固有のコマンドフレームペイロード内で前記第１の時間基準値を送信することを含む、Ｃ３１に記載の機械可読媒体。
［Ｃ３９］
前記ステップが、
前記無線装置および前記無線デバイスを含むネットワーク内のトラヒックパターンに少なくとも一部基づいて、複数の時間基準値から前記第１の時間基準値を選択すること
をさらに含む、Ｃ３１に記載の機械可読媒体。
［Ｃ４０］
前記ステップが、
前記無線デバイスの電力節約および前記無線デバイスの現在の電池充電レベルに対する感度に少なくとも一部基づいて、複数の時間基準値から前記第１の時間基準値を選択すること、
をさらに含む、Ｃ３１に記載の機械可読媒体。
［Ｃ４１］
前記ステップが、
前記無線装置に格納された複数の時間基準値から前記第１の時間基準値を選択することと、
前記ペイロードが前記第１の期間が終了すると入手可能でなくなることに応じて、（１）前記無線装置から前記無線デバイスへ前記インジケータの前記第１の値を送信すること、（２）前記複数の時間基準値から前記第１の時間基準値と異なる第２の時間基準値を選択すること、および（３）前記無線装置から前記無線デバイスへ前記第２の時間基準値を送信することとをさらに含み、
前記ペイロードが前記第１の期間が終了すると前記入手可能でなくなることに応じて、前記第１の値を送信するステップが、前記第２の時間基準値によって定義された長さを有する前記第２の期間中に前記無線装置は前記無線デバイスへ前記ペイロードデータを送信しないことを示す、
Ｃ３１に記載の機械可読媒体。
［Ｃ４２］
データを格納するための手段と、
無線媒体上でデータを受信するための手段と、
前記無線媒体上でデータを送信するための手段と、
受信のための前記手段および送信のための前記手段を制御するための制御器手段とを含み、前記制御器手段が、
前記無線装置から無線デバイスへ送信するためのペイロードデータが入手可能でないことを決定するように、かつ
前記ペイロードデータが入手可能でない場合に、前記無線装置から前記無線デバイスへインジケータの第１の値を送信するように、かつ
前記無線装置から前記無線デバイスへ第１の時間基準値を送信するように構成され、前記インジケータの前記第１の値が、前記第２のデバイスへ前記第１の時間基準によって定義される第１の期間中に前記無線装置は送信しないことを示す、
無線装置。
［Ｃ４３］
無線装置からインジケータを受信することと、
前記インジケータが第１の値を有することを決定することと、
前記インジケータが前記第１の値を有していることに応じて、前記無線装置から時間基準値を受信することと、
前記時間基準値に対応する時間の長さを選択することと、
前記長さの時間の間、前記無線デバイスの受信機の少なくとも一部をオフ状態にすることと、
前記長さの時間が終了すると、前記受信機の少なくとも前記一部をオン状態にすること、
を含む、無線デバイスを動作させる方法。
［Ｃ４４］
前記インジケータが、ＥＣＭＡ−３６８規格に適合するモアフレームビットであり、前記方法が前記無線装置からペイロードデータを受信することをさらに含む、Ｃ４３に記載の方法。
［Ｃ４５］
メモリーと、
受信機と、
送信機と、
前記受信機、前記送信機、および前記メモリーに接続された制御器とを含み、前記制御器が、
無線装置からインジケータを受信するように、かつ
前記インジケータが第１の値を有することを決定するように、かつ
前記インジケータが前記第１の値を有することに応じて、前記無線装置から時間基準値を受信するように、かつ
前記時間基準値に対応する長さの時間を選択するように、かつ
前記長さの時間の間、前記受信機の少なくとも一部をオフ状態にするように、かつ
前記長さの時間が終了すると前記受信機の前記少なくとも一部をオン状態にするように、
構成された、無線デバイス。
［Ｃ４６］
前記インジケータが、ＥＣＭＡ−３６８規格に適合するモアフレームビットであり、前記制御器が前記無線装置からペイロードデータを受信するようにさらに構成された、Ｃ４５に記載の無線デバイス。
［Ｃ４７］
命令を含む機械可読媒体であって、前記命令が無線デバイスの少なくとも１つの制御器によって実行されると、前記命令が前記無線デバイスに、
無線装置からインジケータを受信することと、
前記インジケータが第１の値を有することを決定することと、
前記インジケータが前記第１の値を有していることに応じて、前記無線装置から時間基準値を受信することと、
前記時間基準値に対応する長さの時間を選択することと、
前記長さの時間の間前記無線デバイスの受信機の少なくとも一部をオフ状態にすることと、
前記長さの時間が終了すると、前記受信機の前記少なくとも一部をオン状態にすること、
を含むステップを実行させる、機械可読媒体。
［Ｃ４８］
前記インジケータが、ＥＣＭＡ−３６８規格に適合するモアフレームビットであり、前記ステップが前記無線装置からペイロードデータを受信することをさらに含む、Ｃ４７に記載の機械可読媒体。
［Ｃ４９］
データを格納するための手段と、
無線媒体上でデータを受信するための手段と、
前記無線媒体上でデータを送信するための手段と、
受信のための前記手段および送信のための前記手段を制御するための制御器手段とを含み、前記制御器手段が、
無線装置からインジケータを受信するように、かつ
前記インジケータが第１の値を有するかまたは第２の値を有するかを決定するように、かつ
前記インジケータが前記第１の値を有することに応じて、前記無線装置から時間基準値を受信するように、かつ
前記時間基準値に対応する時間の長さを選択するように、かつ
前記長さの時間の間、受信のための前記手段の少なくとも一部をオフ状態にするように、かつ
前記長さの時間が終了すると受信のための前記手段の前記少なくとも一部をオン状態にするように、
構成された、無線デバイス。
【外国語明細書】
2015046908000001.pdf